(57)【要約】【課題】表示画面の全域にわたって適切にフリッカ等を低減する。【解決手段】補間処理部１３は、ＲＯＭ１２に格納された基準補正データＤｒｅｆにレベル方向の補間処理を施して、画像データＤＲ’の取り得るレベルに対応した補正データＤＨｒを各基準座標について生成し、これを補正テーブル１４Ｒに格納する。アドレス発生部１７Ｒは、Ｘ、Ｙ座標データＤｘ、Ｄｙおよび画像データＤＲ’に基づいて、補正テーブル１４Ｒに記憶されている補正データＤＨｒの中から、当該座標に近傍にある４つの基準座標に対応した補正データＤＨｒ１〜ＤＨｒ４の各記憶領域を指定する。演算部１５Ｒは、補正テーブル１４Ｒから読み出された補正データＤＨｒ１〜ＤＨｒ４に対して、座標方向の補間処理を施して補正データＣｍｐ−Ｒを生成する。なお、正極性書込の場合であれば、画像データＤＲ’に補正データＣｍｐ−Ｒが加算されるが、負極性書込の場合であれば、補正は行わない。【選択図】　　　図６
2004062187.tif 000002
【特許請求の範囲】
【請求項１】
Ｘ方向およびＹ方向にわたってマトリクス状に配列する画素の濃度を指示する画像データをアナログ変換するとともに、所定の一定電位を基準として一定周期毎に極性反転した電圧信号を前記画素に供給する際に、該画像データを補正する画像データ補正方法であって、
前記画像データが取り得るレベルのうち、特定レベルに対応する基準補正データを、画素が配列する表示領域内で予め定められた基準座標毎に記憶しておき、
記憶した基準補正データに対しレベル方向に補間処理を施して、前記画像データの取り得るレベルに対応した第１補正データを、前記基準座標毎に生成するとともに、該第１補正データを基準座標とレベルとに対応づけて記憶し、
記憶した第１補正データのうち、前記画像データに対応する画素の座標近傍に位置する基準座標に対応し、かつ、該画像データのレベルに対応するものを選択して読み出し、
読み出した第１補正データに対し座標方向の補間処理を施して、前記画像データに対応する第２補正データを生成し、
前記一定電位に対して、前記電圧信号を正極性とする場合または負極性とする場合のうち、少なくとも一方の場合に、該第２補正データを前記画像データに加算して補正する
ことを特徴とする画像データ補正方法。
【請求項２】
Ｘ方向およびＹ方向にわたってマトリクス状に配列する画素の濃度を指示する画像データをアナログ変換するとともに、所定の一定電位を基準として一定周期毎に極性反転した電圧信号を前記画素に供給する際に、該画像データを補正する画像データ補正回路であって、
前記画像データが取り得るレベルのうち、特定レベルに対応する基準補正データを、画素が配列する表示領域内で予め定められた基準座標毎に記憶するメモリと、
前記メモリに記憶された基準補正データに対しレベル方向に補間処理を施して、前記画像データの取り得るレベルに対応した第１補正データを、前記基準座標毎に生成する補間処理部と、
該第１補正データを基準座標とレベルとに対応づけて記憶する補正テーブルと、
前記補正テーブルに記憶された第１補正データのうち、前記画像データに対応する画素の座標近傍に位置する基準座標に対応し、かつ、該画像データのレベルに対応するものを選択して読み出す読出部と、
読み出された第１補正データに対し座標方向の補間処理を施して、前記画像データに対応する第２補正データを生成する演算部と、
前記一定電位に対して、前記電圧信号を正極性とする場合または負極性とする場合のうち、少なくとも一方の場合に、該第２補正データを前記画像データに加算して、該画像データを補正する加算器と
を具備することを特徴とする画像データ補正回路。
【請求項３】
前記加算器は、
前記電圧信号を正極性とする場合または負極性とする場合のうち、一方の場合に限り、該第２補正データを前記画像データに加算し、
前記電圧信号を正極性とする場合または負極性とする場合のうち、他方の場合には、略ゼロの値を該第２補正データに加算する
ことを特徴とする請求項２に記載の画像データ補正回路。
【請求項４】
特定レベルに対応する基準補正データは、
前記一方の場合に、当該補正基準補正データを、前記特定レベルに対応する画像データに加算して画素電極に印加した時と、
前記他方の場合に、当該補正基準補正データを、前記特定レベルに対応する画像データに加算せずに、画素電極に印加した時とにおいて濃度差が小となるように調整した値である
ことを特徴とする請求項３に記載の画像データ補正回路。
【請求項５】
前記読出部は、
前記表示領域にあってＸ方向走査の時間基準となる第１クロック信号を計数して、前記表示領域において前記画像データに対応する画素のＸ座標を示すＸ座標データを生成するＸカウンタと、
前記表示領域にあってＹ方向走査の時間基準となる第２クロック信号を計数して、前記表示領域において前記画像データに対応する画素のＹ座標を示すＹ座標データを生成するＹカウンタと、
前記Ｘ座標データと前記Ｙ座標データとにより、前記画像データに対応する画素の座標近傍に位置する基準座標を複数特定するとともに、該特定した基準座標と前記画像データのレベルとにより、前記補正テーブルから対応する第１補正データを読み出すためのアドレスを発生するアドレス発生部とを備え、
前記演算部は、
前記Ｘ座標データと前記Ｙ座標データとによって特定される画像データの座標から、読み出された第１補正データに対応する基準座標までの距離に応じて補間処理を行う
ことを特徴とする請求項２に記載の画像データ補正回路。
【請求項６】
前記メモリ、前記補間処理部、前記Ｘカウンタおよび前記Ｙカウンタは、ＲＧＢの各色にわたって兼用される一方、
前記補正テーブル、前記演算部、前記アドレス発生部および前記加算器は、ＲＧＢの色毎に対応して設けられる
ことを特徴とする請求項５に記載の画像データ補正回路。
【請求項７】
前記画素は、電極間に液晶を挟持してなる液晶容量を備え、
前記基準補正データが対応する特定レベルは、
前記液晶容量に印加される電圧実効値に対する透過率または反射率を示す表示特性曲線が急峻に変化する第１および第２変化点の各々に対応する第１および第２レベルと、第１および第２レベルの間における１以上のレベルと
であることを特徴とする請求項２に記載の画像データ補正回路。
【請求項８】
前記補間処理部は、
前記第１レベルから前記第２レベルまでのレベルの各々に対応する第１補正データについては、前記基準補正データに補間処理を施して生成し、
前記第１レベル未満のレベルの各々に対応する第１補正データについては、前記第１レベルに対応する基準補正データとし、
前記第２レベルを越えるレベルの各々に対応する第１補正データについては、前記第２レベルに対応する基準補正データとし、
前記補正テーブルは、
前記第１レベルから前記第２レベルまでの各レベルについて第１補正データを記憶し、
前記読出部は、
前記補正テーブルに記憶された第１補正データのうち、
前記画像データのレベルが前記第１レベル未満である場合には、前記第１レベルに対応するものを選択し、
前記画像データのレベルが前記第１レベルから前記第２レベルまでの範囲にある場合には、該レベルに対応して生成されたものを選択し、
前記画像データのレベルが前記第２レベルを越える場合には、前記第２レベルに対応するものを選択する
ことを特徴とする請求項７に記載の画像データ補正回路。
【請求項９】
前記画像データのレベルが前記第１レベル未満である場合、または、前記第２レベルを越える場合に、
該画像データのレベルと前記第１または第２レベルとの差に応じた係数を出力する係数出力部と、
前記係数出力部による係数と、読み出された第１または第２レベルに対応する第１補正データとを乗算する乗算器と
を備え、
前記演算部は、
前記乗算器による乗算結果を、前記読出部により選択されて読み出された第１補正データとして用いて、座標方向の補間処理を行う
ことを特徴とする請求項８に記載の画像データ補正回路。
【請求項１０】
前記係数出力部は、
前記画像データが前記第１レベル未満である領域、または、前記第２レベルを越える領域において、少なくとも２以上のレベルに対応する係数を記憶するルックアップテーブルと、
前記ルックアップテーブルに記憶された係数を補間して、該画像データに対応する係数を求める係数補間部と
を備えることを特徴とする請求項９に記載の画像データ補正回路。
【請求項１１】
前記画像データおよび前記基準補正データは、それぞれＲＧＢの各色に対応し、
前記補間処理部は、ＲＧＢの各色に対応して第１補正データを生成し、
前記補正テーブル、前記演算部および前記加算器は、ＲＧＢの色毎に対応して設けられる
ことを特徴とする請求項５に記載の画像データ補正回路。
【請求項１２】
前記Ｇの基準補正データのデータ量は、前記Ｒまたは前記Ｂの基準補正データのデータ量より多い
ことを特徴とする請求項１１に記載の画像データ補正回路。
【請求項１３】
前記Ｒまたは前記Ｂの基準補正データに対応する基準座標は、前記Ｇの基準補正データに対応する基準座標を、一定の規則で抽出したものである
ことを特徴とする請求項１２に記載の画像データ補正回路。
【請求項１４】
Ｘ方向およびＹ方向にわたってマトリクス状に配列する画素の濃度を指示する画像データをアナログ変換するとともに、所定の一定電位を基準として一定周期毎に極性反転した電圧信号を前記画素に供給する際に、該画像データを補正する画像データ補正回路であって、
白基準レベルに対応した白基準補正データと、黒基準レベルに対応した黒基準補正データと、前記白基準レベルと前記黒基準レベル間に対応した少なくとも１つの中間基準補正データを格納したメモリと、
一方の極性の前記画像データのうち中間調画像データに基づいて、前記メモリ内の前記複数の基準補正データ間でレベル方向に補間処理を行い、第１補正データを生成する第１補正データ生成部と、
前記中間調画像データの座標データと前記第１補正データとで座標方向の補間処理を行い、第２補正データを生成する第２補正データ生成部と、
前記第２補正データを前記中間調画像データに加算して、中間調画像データを補正する加算器と
を具備することを特徴とする画像データ補正回路。
【請求項１５】
前記第１補正データ生成部は、前記一方の極性の前記画像データのうち白あるいは黒基準の画像データの場合は、前記メモリ内の白基準補正データあるいは黒基準補正データを第１補正データとすることを特徴とする請求項１４に記載の画像データ補正回路。
【請求項１６】
前記第１補正データ生成部は、前記一方の極性の前記画像データのうち白あるいは黒基準の画像データの場合は、前記メモリ内の白基準補正データあるいは黒基準補正データに、前記白あるいは黒基準の画像データと前記メモリ内の白基準補正データあるいは黒基準補正データとの差に応じた係数を乗じた第１補正データとすることを特徴とする請求項１４に記載の画像データ補正回路。
【請求項１７】
前記メモリ内の中間基準補正データは、画面を分割した一領域における正極性と負極性の輝度レベルの不足分あるいは過剰分に基づいて算出されていることを特徴とする請求項１４乃至１６のいずれか一項に記載の画像データ補正回路。
【請求項１８】
Ｘ方向およびＹ方向にわたってマトリクス状に配列する画素の濃度を指示する画像データであって、該画像データが取り得るレベルのうち、特定レベルに対応する基準補正データを、画素が配列する表示領域内で予め定められた基準座標毎に記憶するメモリと、
前記メモリに記憶された基準補正データに対しレベル方向に補間処理を施して、前記画像データの取り得るレベルに対応した第１補正データを、前記基準座標毎に生成する補間処理部と、
該第１補正データを基準座標とレベルとに対応づけて記憶する補正テーブルと、
前記補正テーブルに記憶された第１補正データのうち、前記画像データに対応する画素の座標近傍に位置する基準座標に対応し、かつ、該画像データのレベルに対応するものを選択して読み出す読出部と、
読み出された第１補正データに対し座標方向の補間処理を施して、前記画像データに対応する第２補正データを生成する演算部と、
前記一定電位に対して、前記電圧信号を正極性とする場合または負極性とする場合のうち、少なくとも一方の場合に、該第２補正データを前記画像データに加算して、該画像データを補正する加算器と
補正された画像データを、アナログ変換するＤ／Ａ変換器と、
前記一定電位を基準として一定周期毎に極性反転する極性反転回路と、
極性反転された電圧信号を前記画素の各々に供給する駆動回路と
を具備することを特徴とする液晶表示装置。
【請求項１９】
請求項１８に記載の液晶表示装置を備える
ことを特徴とする電子機器。
【発明の詳細な説明】
【０００１】
【発明の属する技術分野】
本発明は、表示領域の全域にわたって、いわゆるフリッカ等を適切に低減させた液晶表示装置、画像データ補正回路、画像データ補正方法および電子機器に関する。
【０００２】
【従来の技術】
従来の液晶表示装置、例えば、アクティブマトリクス型液晶表示装置は、主に、液晶パネル、処理回路およびタイミング制御回路から構成されている。このうち、液晶パネルは、一対の基板間にＴＮ（Ｔｗｉｓｔｅｄ　Ｎｅｍａｔｉｃ）液晶が挟持された構成となっており、詳細には、一対の基板のうち、一方の基板に、複数の走査線と複数のデータ線とが互いに絶縁を保って交差するように設けられるとともに、これらの交差部分の各々に対応してスイッチング素子の一例たる薄膜トランジスタ（Ｔｈｉｎ　Ｆｉｌｍ　Ｔｒａｎｓｉｓｔｏｒ：以下「ＴＦＴ」と称する）と画素電極との対が設けられている。
【０００３】
また、他方の基板には画素電極に対向する透明な対向電極（共通電極）が設けられて、一定電位に維持されている。くわえて、両基板の各対向面には、液晶分子の長軸方向が両基板間で例えば約９０度連続的に捻れるようにラビング処理された配向膜がそれぞれ設けられる一方、両基板の各背面側には配向方向に応じた偏光子がそれぞれ設けられる。
【０００４】
ここで、走査線とデータ線との交差部分に設けられたＴＦＴは、対応する走査線に印加される走査信号（ゲート信号）がオン電位になると、データ線に接続されるソースと、画素電極に接続されるドレインとの間においてオンする。このため、データ線に供給されている画像信号が画素電極に印加されて、画素電極と対向電極と両電極間に挟持された液晶とからなる液晶容量には、対向電極電位と画像信号電位との電位差が印加されることになる。この後、スイッチングがオフしても、液晶容量には、印加された電位差が、それ自身や蓄積容量の特性に応じて保持され続けることになる。
【０００５】
この際、液晶容量を通過する光は、該液晶容量に印加された電圧実効値がゼロであれば、液晶分子の捻れに沿って約９０度旋光する一方、電圧実効値が大きくなるにつれて、液晶分子が電界方向に傾く結果、その旋光性が消失する。このため、例えば透過型において、入射側と背面側とに、配向方向に合わせて偏光軸が互いに直交する偏光子をそれぞれ配置させた場合（ノーマリーホワイトモードの場合）、液晶容量に印加される電圧実効値がゼロであれば、透過率が最大（白表示）になる一方、両電極に印加される電圧実効値が大きくなるにつれて光が遮断して、ついには透過率が最小（黒表示）になる。
したがって、走査線およびデータ線の各々をそれぞれ適切なタイミングで駆動して、各液晶容量に対し、濃度に応じた電圧実効値を印加することにより、画素毎に濃度を異ならせた階調表示が可能となる。
【０００６】
ところで、液晶表示装置では、直流成分の印加による液晶の劣化を防止するために、液晶容量を交流駆動する方式が原則である。このため、データ線を介して画素電極に印加される画像信号は、所定の一定電位Ｖｃを基準として正極側・負極側に一定の周期毎に交互に反転される構成となっている。
【０００７】
【発明が解決しようとする課題】
しかしながら、ＴＦＴのようなスイッチング素子では、いわゆるプッシュダウンと呼ばれる現象が発生する。詳細には、プッシュダウンとは、図１３（ａ）に示されるように、走査信号（ゲート信号）がオン電位Ｖｄｄからオフ電位Ｖｓｓに変化する際、その電位変化が、ゲートとドレイン間の寄生容量を介することによって、ドレイン（画素電極）の電位を低下させる、というものである。
ここで、プッシュダウンによる電位変位は、ソース電位たる書込電位が低くなるにつれて、大きくなる傾向にある。このため、同一濃度に対応する電圧Ｖｇｐ、Ｖｇｎをそれぞれ正極側・負極側で書き込んでも、それによるプッシュダウンの電位変位ＰＤ、ＮＤは、後者の方が大きくなってしまう。
【０００８】
一方、基板間を光が透過する際、その一部がＴＦＴに進入するため、走査信号がオフ電位Ｖｓｓになるオフ期間（保持期間）であっても、該ＴＦＴにはわずかながらリーク電流（光電流）が流れてしまう。特に、液晶パネルによる画像を拡大投射するプロジェクタでは、きわめて強い光が該液晶パネルに照射されるので、直視型の液晶パネルと比較して、その影響は無視できない、と考えられる。ここで、光リークの程度は、データ線の電位の影響を受けるので、正極性書込と負極性書込とで異なる傾向がある。
【０００９】
このようにプッシュダウンや光リーク等により、実際に液晶容量に印加される電圧実効値、すなわち図１３（ａ）において斜線で示される部分の面積は、正極性書込と負極性書込とで異なってしまうので、交流駆動しているのにもかかわらず、液晶容量には直流成分が印加されることになる。このため、いわゆる焼き付きのほか、正極性書込による濃度と負極性書込による濃度とが交互に表示されることによる明滅（フリッカ）が発生して、表示品位が著しく低下することになる。
【００１０】
さらに、プッシュダウンによる電位変位や光リークの程度は、正極性書込・負極性書込だけではなく、画素の位置にも依存する傾向がある。これは、素子の特性が表示領域にわたって均一でないことや、光の照射強度が面内において一様ではないことに起因しているため、と考えられる。したがって、プッシュダウンや光リーク等による表示品位の低下を抑えるためには、単純に正極性書込・負極性書込を考慮しただけでは十分ではない、といえる。
一方、正極性書込・負極性書込のほか、画素の位置を考慮して、表示品位の低下を抑えるような構成を考えるにしても、その構成が複雑化・大規模化するのであれば、液晶表示装置における一般的な要求と矛盾する事態を招くことになる。
【００１１】
本発明は、このような事情に鑑みてなされたものであり、その目的とするところは、いわゆる焼き付きやフリッカによる表示品位の低下を、簡易にして解消することが可能な液晶表示装置、画像データ補正回路、画像データ補正方法および電子機器を提供することにある。
【００１２】
【課題を解決するための手段】
上記目的を達成するため、本件第１発明に係る画像データ補正方法は、Ｘ方向およびＹ方向にわたってマトリクス状に配列する画素の濃度を指示する画像データをアナログ変換するとともに、所定の一定電位を基準として一定周期毎に極性反転した電圧信号を前記画素に供給する際に該画像データを補正する画像データ補正方法であって、前記画像データが取り得るレベルのうち、特定レベルに対応する基準補正データを、画素が配列する表示領域内で予め定められた基準座標毎に記憶しておき、記憶した基準補正データに対しレベル方向に補間処理を施して、前記画像データの取り得るレベルに対応した第１補正データを、前記基準座標毎に生成するとともに、該第１補正データを基準座標とレベルとに対応づけて記憶し、記憶した第１補正データのうち、前記画像データに対応する画素の座標近傍に位置する基準座標に対応し、かつ、該画像データのレベルに対応するものを選択して読み出し、読み出した第１補正データに対し座標方向の補間処理を施して、前記画像データに対応する第２補正データを生成し、前記一定電位に対して、前記電圧信号を正極性とする場合または負極性とする場合のうち、少なくとも一方の場合に、該第２補正データを前記画像データに加算して補正する方法を特徴としている。
【００１３】
この方法によれば、基準補正データにレベル方向の補間処理が施されて、第１補正データが生成された後、該第１補正データに座標方向の補間処理が施されて第２補正データが生成されて、該第２補正データが補正データとして、少なくとも一方の極性に対応する画像データに加算される。すなわち、補正データは、書込極性のほか、画像データに対応する座標位置も考慮されて生成される。このため、焼き付きやフリッカ等による表示品位の低下を、マトリクス状に配列する画素毎に適切に抑えることができる。この際、予め記憶されるデータは、表示領域内にあって基準座標毎に対応し、かつ、画像データの取り得るレベルのうち、特定レベルに対応する基準補正データだけであるので、必要なメモリ容量を削減して、構成の簡易化に寄与することが可能となる。
【００１４】
次に、上記目的を達成するため、本件第２発明に係る画像データ補正回路は、Ｘ方向およびＹ方向にわたってマトリクス状に配列する画素の濃度を指示する画像データをアナログ変換するとともに、所定の一定電位を基準として一定周期毎に極性反転した電圧信号を前記画素に供給する際に該画像データを補正する画像データ補正回路であって、前記画像データが取り得るレベルのうち、特定レベルに対応する基準補正データを、画素が配列する表示領域内で予め定められた基準座標毎に記憶するメモリと、前記メモリに記憶された基準補正データに対しレベル方向に補間処理を施して、前記画像データの取り得るレベルに対応した第１補正データを、前記基準座標毎に生成する補間処理部と、該第１補正データを基準座標とレベルとに対応づけて記憶する補正テーブルと、前記補正テーブルに記憶された第１補正データのうち、前記画像データに対応する画素の座標近傍に位置する基準座標に対応し、かつ、該画像データのレベルに対応するものを選択して読み出す読出部と、読み出された第１補正データに対し座標方向の補間処理を施して、前記画像データに対応する第２補正データを生成する演算部と、前記一定電位に対して、前記電圧信号を正極性とする場合または負極性とする場合のうち、少なくとも一方の場合に、該第２補正データを前記画像データに加算して、該画像データを補正する加算器とを具備する構成を特徴としている。この構成によれば、上記第１発明と同様に、補正データが、書込極性のほか、画像データに対応する座標位置も考慮されて生成されるので、焼き付きやフリッカ等による表示品位の低下を、マトリクス状に配列する画素毎に適切に抑えることができるとともに、必要なメモリ容量を削減して、構成の簡易化を図ることが可能となる。
【００１５】
ここで、本発明にあっては、正極書込性および負極性書込の両極性に対応して補正データをそれぞれ出力する必要はなく、一方の極性における電圧実効値が、他方の極性における電圧実効値に対して結果的に等しくなれば良い。このため、第２発明において、前記加算器は、前記電圧信号を正極性とする場合または負極性とする場合のうち、一方の場合に限り、該第２補正データを前記画像データに加算し、前記電圧信号を正極性とする場合または負極性とする場合のうち、他方の場合には、略ゼロの値を該第２補正データに加算する構成が望ましい。この構成によれば、いずれかの一方の書込極性に対応して補正データを生成すれば済むので、その分、構成を簡略化することが可能となる。
ところで、液晶表示装置にあって、画素の濃度が中間的（灰色）である領域では、液晶容量に印加される電圧実効値にわずかな差があっても濃度が大きく変化する。逆に言えば、灰色に相当する画像信号を、正極性および負極性で画素電極に交互に印加して、濃度がほぼ同一となるように調整すれば、両極性において液晶容量に印加される電圧実効値を等しくすることができる。そこで、一方の極性における電圧実効値を、他方の極性における電圧実効値に等しくする構成において、特定レベルに対応する基準補正データは、前記一方の場合に、当該補正基準補正データを、前記特定レベルに対応する画像データに加算して画素電極に印加した時と、前記他方の場合に、当該補正基準補正データを、前記特定レベルに対応する画像データに加算せずに、画素電極に印加した時とにおいて濃度差が小となるように調整した値であることが望ましい。これにより、実際のプッシュダウンや光リーク等の程度を意識しないで、特定レベルに対応する基準補正データを設定することができる。
【００１６】
また、第２発明において、前記読出部は、前記表示領域にあってＸ方向走査の時間基準となる第１クロック信号を計数して、前記表示領域において前記画像データに対応する画素のＸ座標を示すＸ座標データを生成するＸカウンタと、前記表示領域にあってＹ方向走査の時間基準となる第２クロック信号を計数して、前記表示領域において前記画像データに対応する画素のＹ座標を示すＹ座標データを生成するＹカウンタと、前記Ｘ座標データと前記Ｙ座標データとにより、前記画像データに対応する画素の座標近傍に位置する基準座標を複数特定するとともに、該特定した基準座標と前記画像データのレベルとにより、前記補正テーブルから対応する第１補正データを読み出すためのアドレスを発生するアドレス発生部とを備え、前記演算部は、前記Ｘ座標データと前記Ｙ座標データとによって特定される画像データの座標から、読み出された第１補正データに対応する基準座標までの距離に応じて補間処理を行う構成が好ましい。この構成によれば、あるタイミングの画像データが、表示領域においていかなる座標に対応するかについてが、Ｘ、Ｙ座標データにより特定されることになる。そして、当該座標近傍の基準座標に対応する第１補正データを、座標方向に補間処理することにより、当該座標に対応する第２補正データが生成されるので、画像データに対応する画素毎に、適切に補正データを算出することができる。
【００１７】
このような構成においては、前記メモリ、前記補間処理部、前記Ｘカウンタおよび前記Ｙカウンタは、ＲＧＢの各色にわたって兼用される一方、前記補正テーブル、前記演算部、前記アドレス発生部および前記加算器は、ＲＧＢの色毎に対応して設けられる構成が望ましい。この構成では、前記メモリ、前記補間処理部、前記Ｘカウンタおよび前記Ｙカウンタを、各色毎に設ける必要がないので、構成の簡易化を図ることが可能となる。
【００１８】
一方、第２発明において、前記画素は、電極間に液晶を挟持してなる液晶容量を備え、前記基準補正データが対応する特定レベルは、前記液晶容量に印加される電圧実効値に対する透過率または反射率を示す表示特性曲線が急峻に変化する第１および第２変化点の各々に対応する第１および第２レベルと、第１および第２レベルの間における１以上のレベルとである構成が好ましい。
【００１９】
さらに、前記補間処理部は、前記第１レベルから前記第２レベルまでのレベルの各々に対応する第１補正データについては、前記基準補正データに補間処理を施して生成し、前記第１レベル未満のレベルの各々に対応する第１補正データについては、前記第１レベルに対応する基準補正データとし、前記第２レベルを越えるレベルの各々に対応する第１補正データについては、前記第２レベルに対応する基準補正データとし、前記補正テーブルは、前記第１レベルから前記第２レベルまでの各レベルについて第１補正データを記憶し、前記読出部は、前記補正テーブルに記憶された第１補正データのうち、前記画像データのレベルが前記第１レベル未満である場合には、前記第１レベルに対応するものを選択し、前記画像データのレベルが前記第１レベルから前記第２レベルまでの範囲にある場合には、該レベルに対応して生成されたものを選択し、前記画像データのレベルが前記第２レベルを越える場合には、前記第２レベルに対応するものを選択する構成が好ましい。液晶容量の表示特性では、大きな変化点が２つあり、これらの変化点の間では印加電圧に対する透過率の傾きが大きいがほぼ一定であり、それ以外の範囲では、印加電圧に対する透過率の傾きは小さい。このため、第１レベルから第２レベルまでの各レベルに対応する第１補正データについては、基準補正データに補間処理を施して生成したものを用いれば十分である。また、画像データのレベルが第１レベル未満である場合には、該第１レベルに対応する第１補正データを選択する一方、画像データのレベルが第２レベルを越える場合には、該第２レベルに対応する第１補正データを選択すれば、十分である。
【００２０】
ただし、画像データのレベルが第１レベル未満である場合、または、第２レベルを超える場合でも、該レベルに対応する適切な補正データを生成する場合には、次のような構成とすることが望ましい。すなわち、前記画像データのレベルが前記第１レベル未満である場合、または、前記第２レベルを越える場合に、該画像データのレベルと前記第１または第２レベルとの差に応じた係数を出力する係数出力部と、前記係数出力部による係数と、読み出された第１または第２レベルに対応する第１補正データとを乗算する乗算器とを備え、前記演算部は、前記乗算器による乗算結果を、前記読出部により選択されて読み出された第１補正データとして用いて、座標方向の補間処理を行う構成が望ましい。この構成によれば、画像データのレベルが第１レベル未満である場合、または、第２レベルを超える場合でも、当該レベルに対応して適切に補正データが生成されるので、より正確に表示品位の低下を防止することが可能となる。
【００２１】
このような構成における前記係数出力部としては、前記画像データが前記第１レベル未満である領域、または、前記第２レベルを越える領域において、少なくとも２以上のレベルに対応する係数を記憶するルックアップテーブルと、前記ルックアップテーブルに記憶された係数を補間して、該画像データに対応する係数を求める係数補間部とを備える構成が考えられる。この構成によれば、画像データが第１レベル未満である領域のレベルの各々に対応して、または、記第２レベルを越える領域のレベルの各々に対応して、係数をルックアップテーブルに記憶させる必要がないので、その分、ルックアップテーブルに必要な記憶容量を削減することが可能となる。
【００２２】
一方、第２発明において、カラー化に対応する場合、前記画像データおよび前記基準補正データは、それぞれＲＧＢの各色に対応し、前記補間処理部は、ＲＧＢの各色に対応して第１補正データを生成し、前記補正テーブル、前記演算部および前記加算器は、ＲＧＢの色毎に対応して設けられる構成が好ましい。この構成によれば、ＲＧＢの色毎に、画像データに対する補正データとしての第２補正データが生成されることになる。
【００２３】
さらに、人の視覚は、ＲやＢと比較してＧの感度が高いので、前記Ｇの基準補正データのデータ量を、前記Ｒまたは前記Ｂの基準補正データのデータ量より多くする構成が望ましい。これにより、Ｇの基準補正データと比較して、ＲやＢの基準補正データのデータ量を相対的に小さくできるので、その分、メモリに必要な記憶容量を削減することが可能となる。
さらに、このようなＲまたはＢの基準補正データに対応する基準座標は、前記Ｇの基準補正データに対応する基準座標を、一定の規則で抽出したものである構成が望ましい。
同様に、上記目的を達成するため、本件第３発明に係る画像データ補正回路は、Ｘ方向およびＹ方向にわたってマトリクス状に配列する画素の濃度を指示する画像データをアナログ変換するとともに、所定の一定電位を基準として一定周期毎に極性反転した電圧信号を前記画素に供給する際に、該画像データを補正する画像データ補正回路であって、白基準レベルに対応した白基準補正データと、黒基準レベルに対応した黒基準補正データと、前記白基準レベルと前記黒基準レベル間に対応した少なくとも１つの中間基準補正データを格納したメモリと、一方の極性の前記画像データのうち中間調画像データに基づいて、前記メモリ内の前記複数の基準補正データ間でレベル方向に補間処理を行い、第１補正データを生成する第１補正データ生成部と、前記中間調画像データの座標データと前記第１補正データとで座標方向の補間処理を行い、第２補正データを生成する第２補正データ生成部と、前記第２補正データを前記中間調画像データに加算して、中間調画像データを補正する加算器とを具備することを特徴とする。
本発明にあっては、特に、画素の濃度が中間調（灰色）である領域が、一方の極性における電圧実効値が、他方の極性における電圧実効値に対して結果的に等しくなれば良いものである。
さらに、前記第１補正データ生成部は、前記一方の極性の前記画像データのうち白あるいは黒基準の画像データの場合は、前記メモリ内の白基準補正データあるいは黒基準補正データを第１補正データとすることを特徴とする。
本発明によれば、白や黒基準の画像データのレベルでは、透過率の変化が小さいので、補間処理の必要はない。
さらに、前記第１補正データ生成部は、前記一方の極性の前記画像データのうち白あるいは黒基準の画像データの場合は、前記メモリ内の白基準補正データあるいは黒基準補正データに、前記白あるいは黒基準の画像データと前記メモリ内の白基準補正データあるいは黒基準補正データとの差に応じた係数を乗じた第１補正データとすることを特徴とする。
この構成によれば、フリッカ等による表示品位の低下を抑えることができる。さらに、前記メモリ内の中間基準補正データは、画面を分割した一領域における正極性と負極性の輝度レベルの不足分あるいは過剰分に基づいて算出されていることが望ましい。
【００２４】
同様に、上記目的を達成するため、本件第４発明に係る液晶表示装置は、Ｘ方向およびＹ方向にわたってマトリクス状に配列する画素の濃度を指示する画像データであって、該画像データが取り得るレベルのうち、特定レベルに対応する基準補正データを、画素が配列する表示領域内で予め定められた基準座標毎に記憶するメモリと、前記メモリに記憶された基準補正データに対しレベル方向に補間処理を施して、前記画像データの取り得るレベルに対応した第１補正データを、前記基準座標毎に生成する補間処理部と、該第１補正データを基準座標とレベルとに対応づけて記憶する補正テーブルと、前記補正テーブルに記憶された第１補正データのうち、前記画像データに対応する画素の座標近傍に位置する基準座標に対応し、かつ、該画像データのレベルに対応するものを選択して読み出す読出部と、読み出された第１補正データに対し座標方向の補間処理を施して、前記画像データに対応する第２補正データを生成する演算部と、前記一定電位に対して、前記電圧信号を正極性とする場合または負極性とする場合のうち、少なくとも一方の場合に、該第２補正データを前記画像データに加算して、該画像データを補正する加算器と補正された画像データを、アナログ変換するＤ／Ａ変換器と、前記一定電位を基準として一定周期毎に極性反転する極性反転回路と、極性反転された電圧信号を前記画素の各々に供給する駆動回路とを具備する構成を特徴としている。この構成によれば、上記第１および第２発明と同様に、補正データが、書込極性のほか、画像データに対応する座標位置も考慮されて生成されるので、焼き付きやフリッカ等による表示品位の低下を、マトリクス状に配列する画素毎に適切に抑えることができるとともに、必要なメモリ容量を削減して、構成の簡易化を図ることが可能となる。
【００２５】
さらに、本発明に係る電子機器は、上記液晶表示装置を備えることを特徴としている。特に、画像を拡大投射するプロジェクタに用いると、フリッカ等が画素毎の適切に補正されるので、その効果が大きいが、直視型の電子機器、例えば、モバイル型のコンピュータや携帯電話等の表示部にも好適である。
【００２６】
【発明の実施の形態】
以下、本発明の実施形態について図面を参照して説明する。
【００２７】
＜１：第１実施形態＞
まず、本発明の第１実施形態として、液晶パネルによる透過像を合成した後、拡大投射するプロジェクタについて説明する。
【００２８】
＜１−１：プロジェクタの構成＞
説明の便宜上、このプロジェクタの構成について概略的に説明する。図１は、このプロジェクタの構成を示す平面図である。この図に示されるように、プロジェクタ１１００内部には、ハロゲンランプ等の白色光源からなるランプユニット１１０２が設けられている。このランプユニット１１０２から射出された投射光は、内部に配置された３枚のミラー１１０６および２枚のダイクロイックミラー１１０８によってＲ（赤）、Ｇ（緑）、Ｂ（青）の３原色に分離されて、各原色に対応する液晶パネル１００Ｒ、１００Ｇ、１００Ｂにそれぞれ導かれる。
【００２９】
ここで、液晶パネル１００Ｒ、１００Ｂ、１００Ｇには、後述する処理回路３００により処理されたＲ、Ｇ、Ｂの画像信号がそれぞれ供給される。これにより、液晶パネル１００Ｒ、１００Ｇ、１００Ｂは、それぞれＲＧＢの各原色画像を生成する光変調器として機能することになる。
さて、これらの液晶パネル１００Ｒ、１００Ｂ、１００Ｇによって変調された光は、ダイクロイックプリズム１１１２に３方向から入射される。このダイクロイックプリズム１１１２においては、ＲおよびＢの光が９０度に屈折する一方、Ｇの光が直進する。これにより、各原色画像の合成像が、投射レンズ１１１４を介して、スクリーン１１２０に投写されることとなる。なお、液晶パネル１００Ｒ、１００Ｂ、１００Ｇには、ダイクロイックミラー１１０８によって、Ｒ、Ｇ、Ｂの各原色に対応する光が入射するので、直視型パネルのようなカラーフィルタは不要である。
【００３０】
＜１−２：プロジェクタの電気的構成＞
次に、このプロジェクタ１１００の電気的な構成について説明する。図２は、プロジェクタの電気的な構成を示すブロック図である。
この図に示されるようにプロジェクタ１１００は、３枚の液晶パネル１００Ｒ、１００Ｇ、１００Ｂと、タイミング制御回路２００と、処理回路３００とを備える。このうち、タイミング制御回路２００は、上位装置から供給される垂直走査信号Ｖｓ、水平走査信号Ｈｓおよびドットクロック信号ＤＣＬＫにしたがって、各部を制御するためのタイミング信号やクロック信号などを生成するものである。
【００３１】
一方、処理回路３００は、ガンマ補正回路３１０、補正回路３２０、Ｓ／Ｐ（シリアル−パラレル）変換回路３３０Ｒ、３３０Ｇ、３３０Ｂおよび反転増幅回路３４０Ｒ、３４０Ｇ、３４０Ｂから構成されている。
このうち、ガンマ補正回路３１０は、Ｒ、Ｇ、Ｂに対応して供給されるディジタルの画像データＤＲ、ＤＧ、ＤＢに対し、液晶パネル１００Ｒ、１００Ｇ、１００Ｂの各々の表示特性に対応するように、ガンマ補正を施して、画像データＤＲ’、ＤＧ’、ＤＢ’として出力するものである。
続いて、補正回路３２０は、画像データＤＲ’、ＤＧ’、ＤＢ’に対し、フリッカ等を、色毎に、かつ、画素毎に防止する補正を施すとともに、補正されたデータをＤ／Ａ変換して、画像信号ＶＩＤＲ、ＶＩＤＧ、ＶＩＤＢとして出力するものである。なお、補正回路３２０の詳細については後述することにする。
【００３２】
次に、Ｒに対応するＳ／Ｐ変換回路３３０Ｒは、１系統の画像信号ＶＩＤＲを入力すると、これを６系統に分配するとともに、時間軸に対して６倍に伸長（シリアル−パラレル変換）して出力するものである（図４参照）。ここで、６系統の画像信号に変換する理由は、後述するサンプリングスイッチ１５１（図３参照）において、画像信号の印加時間を長くして、画像信号のサンプリング時間および充放電時間を十分に確保するためであるが、本発明とは直接関係しないので、その説明を省略することにする。
さらに、Ｒに対応する反転増幅回路３４０Ｒは、画像信号を極性反転させた後、増幅して、画像信号ＶＩＤｒ１〜ＶＩＤｒ６として液晶パネル１００Ｒに供給するものである。
【００３３】
なお、補正回路３２０によるＧの画像信号ＶＩＤＧについても、同様に、Ｓ／Ｐ変換回路３３０Ｇによって６系統に変換された後に、反転増幅回路３４０Ｇによって反転・増幅されて、画像信号ＶＩＤｇ１〜ＶＩＤｇ６として液晶パネル１００Ｇに供給される。同様に、Ｂの画像信号ＶＩＤＢについても、Ｓ／Ｐ変換回路３３０Ｂによって６系統に変換された後に、反転増幅回路３４０Ｂによって反転・増幅されて、画像信号ＶＩＤｂ１〜ＶＩＤｂ６として液晶パネル１００Ｂに供給される。
【００３４】
また、反転・増幅回路３４０Ｒ、３４０Ｇ、３４０Ｂにおける極性反転とは、一定電位Ｖｃを基準として、その電圧レベルを交互に反転させることをいう。また、反転するか否かについては、データ線への画像信号の印加方式が▲１▼走査線単位の極性反転であるか、▲２▼データ線単位の極性反転であるか、▲３▼画素単位の極性反転であるかに応じて定められ、その反転周期は、１水平走査期間またはドットクロック周期に設定されるが、以下の説明では、便宜的に、▲１▼走査線単位の極性反転であるとする。
【００３５】
＜１−２−１：液晶パネル＞
次に、液晶パネル１００Ｒ、１００Ｇ、１００Ｂの構成について説明する。なお、液晶パネル１００Ｒ、１００Ｇ、１００Ｂについては、電気的にみれば互いに同一構成であるので、ここでは、Ｒに対応する液晶パネル１００Ｒを例にとって説明する。図３は、液晶パネル１００Ｒの構成を示すブロック図である。
この図に示されるように、液晶パネル１００の表示領域１００ａにあっては、複数本の走査線１１２が行（Ｘ）方向に沿って平行に形成され、また、複数本のデータ線１１４が列（Ｙ）方向に沿って平行に形成されている。そして、これらの走査線１１２とデータ線１１４とが交差する部分においては、スイッチング素子たるＴＦＴ１１６のゲートが走査線１１２に接続される一方、ＴＦＴ１１６のソースがデータ線１１４に接続されるとともに、ＴＦＴ１１６のドレインが矩形状の透明な画素電極１１８に接続されている。
ここで、画素電極１１８は、対向電極１０８と対向し、さらに両電極間において液晶１０５が挟持された構成となっている。すなわち、液晶容量は、画素電極と対向電極との間に液晶が挟持されることにより形成される。
【００３６】
一方、表示領域１００ａの周辺には、走査線駆動回路１３０や、データ線駆動回路１４０、サンプリングスイッチ１５１等からなる周辺回路１２０が設けられる。このうち、走査線駆動回路１３０は、図４に示されるように、垂直走査期間の開始に供給される転送パルスＤＹを、クロック信号ＣＬＹの論理レベルが遷移する毎に（立ち上がりおよび立ち下がり）順次シフトして、１水平走査期間１Ｈ毎に排他的にオン電位となるような走査信号Ｇ１、Ｇ２、Ｇ３、…、Ｇｙを、各走査線１１２に供給するものである。
【００３７】
次に、データ線駆動回路１４０は、順次オン電位となるサンプリング制御信号Ｓ１、Ｓ２、…、Ｓｘを、１水平走査期間内に出力するものである。詳細には、データ線駆動回路１４０は、図４に示されるように、水平走査期間のはじまりに供給される転送パルスＤＸを、クロック信号ＣＬＸの論理レベルが遷移する毎に順次シフトして、排他的にオン電位となるように、サンプリング制御信号Ｓ１、Ｓ２、Ｓ３、…、Ｓｘを出力するものである。
【００３８】
一方、画像信号ＶＩＤｒ１〜ＶＩＤｒ６は、６本の画像信号線１７１を介して供給され、サンプリング制御信号Ｓ１、Ｓ２、Ｓ３、…、Ｓｘにしたがって各データ線１１４にサンプリングされる構成となっている。
詳細には、データ線１１４は６本毎にブロック化されており、図３において左から数えてｉ（ｉは、１、２、…、ｎ）番目のブロックに属するデータ線１１４の６本のうち、最も左に位置するデータ線１１４の一端に接続されるサンプリングスイッチ１５１は、サンプリング信号Ｓｉがオン電位になると、画像信号線１７１を介して供給された画像信号ＶＩＤｒ１をサンプリングして、当該データ線１１４に供給する構成となっている。
【００３９】
また、同じくｉ番目のブロックに属するデータ線１１４の６本のうち、２番目に位置するデータ線１１４の一端に接続されるサンプリングスイッチ１５１は、サンプリング信号Ｓｉがオン電位になると、画像信号ＶＩＤｒ２をサンプリングして、当該データ線１１４に供給する構成となっている。以下、同様に、ｉ番目のブロックに属するデータ線１１４の６本のうち、３、４、５、６番目に位置するデータ線１１４の一端に接続されるサンプリングスイッチ１５１の各々は、サンプリング信号Ｓｉがオン電位になると、画像信号ＶＩＤｒ３、ＶＩＤｒ４、ＶＩＤｒ５、ＶＩＤｒ６の各々をそれぞれサンプリングして、対応するデータ線１１４に供給する構成となっている。
【００４０】
また、表示領域１００ａには、このほかに、液晶容量の電荷蓄積を補助するための蓄積容量１０９が各液晶容量に対して並列に形成されている。詳細には、蓄積容量１０９の一端は、画素電極１１８（ＴＦＴ１１６のドレイン）に接続される一方、その他端は、容量線１７５により共通接続されている。なお、この容量線１７５には、一定の電位（例えば電位ＬＣｃｏｍや、オン電位Ｖｄｄ、オフ電位Ｖｓｓなど）に共通接地されている。
【００４１】
＜１−２−２：補正回路＞
次に、図２における補正回路３２０の詳細な構成ついて説明する。図５は、この補正回路の構成を示すブロック図である。
この図において、補正量出力部３２２は、ディジタルの画像データＤＲ’、ＤＧ’、ＤＢ’にそれぞれ対応する補正データＣｍｐ−Ｒ、Ｃｍｐ−Ｇ、Ｃｍｐ−Ｂを、表示領域１００ａにおける座標位置に対応して出力するものである。なお、この補正量出力部３２２の詳細については、さらに後述することにする。
【００４２】
さて、信号ＰＳは、補正後の画像信号ＶＩＤＲ、ＶＩＤＧ、ＶＩＤＢを正極性書込に対応して供給すべき場合であればＨレベルになる一方、負極性書込に対応して供給すべき場合であればＬレベルとなる信号である。
続いて、ＲＧＢの各々に対応するセレクタ３２４は、信号ＰＳがＨレベルであれば、入力端Ａをそれぞれ選択する一方、信号ＰＳがＬレベルであれば、入力端Ｂをそれぞれ選択するものである。ここで、各セレクタ３２４の入力端Ａには、それぞれ補正データＣｍｐ−Ｒ、Ｃｍｐ−Ｇ、Ｃｍｐ−Ｂが供給される一方、入力端Ｂにはゼロデータが供給されている。
【００４３】
次に、ＲＧＢの各々に対応する加算器３２６は、それぞれセレクタ３２４によって選択されたデータを、それぞれ元の画像データＤＲ’、ＤＧ’、ＤＢ’に加算して出力するものである。
そして、ＲＧＢの各々に対応するＤ／Ａ変換器３２８は、それぞれ加算器３２６による加算されたデータをアナログ変換して、補正された画像信号ＶＩＤＲ、ＶＩＤＧ、ＶＩＤＢとして出力するものである。
【００４４】
このような構成において、信号ＰＳがＨレベルである場合、すなわち、正極性書込を行う場合には、セレクタ３２４では入力端Ａがそれぞれ選択されるので、画像データＤＲ’、ＤＧ’、ＤＢ’には、それぞれ補正データＣｍｐ−Ｒ、Ｃｍｐ−Ｇ、Ｃｍｐ−Ｂが、色毎に加算されることになる。一方、信号ＰＳがＬレベルである場合、すなわち、負極性書込を行う場合には、セレクタ３２４では入力端Ｂがそれぞれ選択されるので、画像データＤＲ’、ＤＧ’、ＤＢ’には、ゼロのデータが加算される結果、実質的な補正が行われない。
【００４５】
このため、負極性書込における電圧実効値に対して不足する分を、正極性書込における画像データに、補正データとして予め上乗せする。これにより、正極性書込において、補正データが加算された画像データをアナログ変換して液晶容量に正極性で書き込んだ場合の電圧実効値を、補正が行われない画像データをアナログ変換して液晶容量に負極性で書き込んだ場合の電圧実効値と等しくすることができる。
この際、次に詳述する補正量出力部３２２によって、補正データを、画像データのレベルのみならず、表示領域１００ａにおける座標位置（画素位置）についても、対応させて出力することにより、フリッカ等による表示品位の低下を防止することができる。
【００４６】
＜１−２−２−１：補正量出力部の構成＞
そこで次に、図５における補正量出力部３２２の詳細について説明する。図６は、この補正量出力部３２２の構成を示すブロック図である。この図に示されるように補正量出力部３２２は、Ｘカウンタ１０、Ｙカウンタ１１、ＲＯＭ（ＲｅａｄＯｎｌｙ　Ｍｅｍｏｒｙ）１２、補間処理部１３および補正ユニットＵＲ、ＵＧ、ＵＢから構成される。
【００４７】
このうち、Ｘカウンタ１０は、１ドット（画素）分の画像データの供給周期に同期するドットクロック信号ＤＣＬＫをカウントして、画像データのＸ座標を示すＸ座標データＤｘを出力するものである。一方、Ｙカウンタ１１は、水平走査に同期する水平クロック信号ＨＣＬＫをカウントして、画像データのＹ座標を示すＹ座標データＤｙを出力するものである。したがって、Ｘ座標データＤｘとＹ座標データＤｙとを参照することによって、当該画像データに対応するドット（画素）の座標を知ることができる。
なお、水平クロック信号ＨＣＬＫを１／２分周したものが、上述したクロック信号ＣＬＹである。また、ドットクロック信号ＤＣＬＫを１／１２分周したものが、上述したクロック信号ＣＬＸである。
【００４８】
次に、ＲＯＭ１２は不揮発性のメモリであり、プロジェクタ１１００の電源投入時に、基準補正データＤｒｅｆｒ、Ｄｒｅｆｇ、ＤｒｅｆｂをＲＧＢに対応して出力する。この基準補正データＤｒｅｆｒ、Ｄｒｅｆｇ、Ｄｒｅｆｂは、予め定められた複数の基準座標毎に対応するものであって、フリッカ等を補正する際の基準となるデータである。
【００４９】
ここで、本実施形態における基準座標について説明する。図７は、基準座標について表示領域１００ａとの関連において説明するための概念図である。説明の便宜上、表示領域１００ａにおける画素の配列が、横１０２４ドット×縦７６８ドットで構成されるものとすると、この表示領域を、横８個×縦６個のブロックに分割し、これらブロックの頂点に位置する計６３点の座標（図において黒丸で示される）を、本実施形態では基準座標と称呼することしたものである。
【００５０】
次に、ＲＧＢの色毎における特定レベルについて説明する。一般に、液晶パネルは、液晶の組成に応じた表示特性を有するので、画像データが取り得るレベルのうち、ある１つのレベルに対応する補正データを用いて、画像データのすべてのレベルにわたって補正しても、正確な補正を行うことができない。例えば、中央（灰色）レベルで最適化された補正データを用いて、画像データが取り得るレベルのすべてにわたって補正しても、特に黒レベルや白レベルにおいて正確な補正を行うことができず、したがって、そのようなレベルにおいて輝度ムラを抑圧することができない。一方、画像データのすべてのレベルに対応して補正データを格納するのは理想的ではあるが、ＲＯＭ１２において必要とする記憶容量が増大してしまうことになる。
そこでまず、本実施形態においては、ＲＧＢ毎に、３つの異なるレベルに対応して基準補正データＤｒｅｆｒ、Ｄｒｅｆｇ、Ｄｒｅｆｇを記憶しておき、これら３つのレベル以外のレベルに対応する補正データについては、記憶した基準補正データから補間処理して求めることとした。
【００５１】
これについて詳細に説明する。図８は、液晶容量に印加される電圧実効値と透過率（または反射率）との関係を示す表示特性Ｗにおいて、色を特定しない場合の基準補正データＤｒｅｆに対応する電圧レベルが、どの地点に相当するかを示すための図である。なお、この図は、液晶容量に印加される電圧実効値がゼロである場合に、透過率が最大（白表示）となるノーマリーホワイトモードについて示している。
【００５２】
この図に示されるように、表示特性Ｗは、液晶容量に印加される電圧実効値がゼロから次第に大きくなると、透過率が緩やかに低下し、電圧レベルＶ１を越えると急峻に透過率が低下し、さらに、電圧レベルＶ３を越えると透過率が緩やかに低下する。ここで、電圧レベルＶ０は、画像データが最小レベルとなる場合に液晶容量に印加される電圧実効値であり、電圧レベルＶ４は、画像データが最大レベルとなる場合に液晶容量に印加される電圧実効値である。そして、このような表示特性Ｗにおいて、本実施形態における基準補正データＤｒｅｆは、電圧レベルＶ１、Ｖ２およびＶ３のそれぞれに対して、後述する手法により設定されたものである。なお、電圧レベルＶ１およびＶ３は、表示特性Ｗにおいて急峻に変化する点に対応するものであり、電圧レベルＶ２は、透過率が略５０％となる点に対応している。
【００５３】
ここで、上述した３つの電圧レベルを選んだ理由は、次の通りである。第１に、電圧レベルＶ１未満の領域、または、電圧レベルＶ３を越える領域においては、画像データのレベルが大きく相違しても、透過率変化が小さいので、電圧レベルＶ１またはＶ３に対応する基準補正データＤｒｅｆを用いれば、通常では十分である、と考えられるからである。第２に、仮に電圧レベルＶ１、Ｖ３の替わりに電圧レベルＶ０、Ｖ４に対応する基準補正データＤｒｅｆを記憶して、電圧レベルＶ０〜Ｖ４の範囲における各レベルに対応する補正データを補間処理して算出すると、表示特性Ｗが、電圧レベルＶ１、Ｖ３にて急峻に変化するため、補正データを全域にわたって正確に算出することができないからである。第３に、透過率が略５０％となる電圧レベルＶ２を用いることによって、補間処理の精度を高めることができるからである。
【００５４】
なお、以下の説明においては、電圧レベルＶ１を白基準レベルと、電圧レベルＶ２を中央基準レベルと、電圧レベルＶ３を黒基準レベルと、それぞれ適宜称呼することにする。また、この例では、白基準レベルと、中央基準レベルと、黒基準レベルとに対応して基準補正データＤｒｅｆを用意することにしたが、白基準レベルから黒基準レベルまでの範囲を分割する複数点に対応して基準補正データＤｒｅｆを用意してもよい。すなわち、白基準レベルと、複数の中間基準レベルと、黒基準レベルとに対応して基準補正データＤｒｅｆを用意してもよい。
【００５５】
次に、ＲＯＭ１２の記憶内容について説明する。図９は、ＲＯＭ１２の記憶内容を示す図である。
この図に示されるように、ＲＯＭ１２には、６３点の基準座標毎に、９個の基準補正データＤｒｅｆが格納されている。詳細には、１個の基準座標に対応する基準補正データＤｒｅｆは、それぞれＲＧＢに対応する基準補正データＤｒｅｆｒ、Ｄｒｅｆｇ、Ｄｒｅｆｂからなり、各色の基準補正データは、さらに白基準レベル、中央基準レベルおよび黒基準レベルにそれぞれ対応して格納されている。
【００５６】
ここで、図９において、データを示す「Ｄ」に続く第１番目の添字「Ｒ」、「Ｇ」、「Ｂ」は、どの色に対応しているかを示している。また、第２番目の添字のうち、「ｗ」は白基準レベルに、「ｃ」は中央基準レベルに、「ｂ」は黒基準レベルに、それぞれ対応していることを示している。さらに、第３番目および第４番目の添字「ｉ、ｊ」は、対応する基準座標を示している。例えば、「ＤＲｃ２５６、１」とは、Ｒ（赤）色であって、中央基準レベルに対応し、かつ、基準座標（２５６、１）に対応する基準補正データであることを示している。
なお、以下の説明では、基準補正データについて、ＲＧＢの各色で区別する場合、Ｒに対応するものをＤｒｅｆｒと、Ｇに対応するものをＤｒｅｆｇと、Ｂに対応するものをＤｒｅｆｂとそれぞれ表記する一方、ＲＧＢの各色で区別しない場合、単にＤｒｅｆと表記することにする。
【００５７】
次に、基準補正データＤｒｅｆの設定について説明する。図１０は、基準補正データＤｒｅｆを設定する際に用いるシステムの構成を示す図である。この図に示されるシステム１０００は、実施形態に係るプロジェクタ１１００、ＣＣＤカメラ５００、パーソナルコンピュータ６００およびスクリーンＳから構成されるが、補正回路３２０については動作を停止させている。
さて、このシステムにおいて、ＣＣＤカメラ５００は、プロジェクタ１１００により投射されてスクリーンＳに写し出された画像を撮像して、画像信号Ｖｓに変換出力するものである。また、パーソナルコンピュータ６００は、画像信号Ｖｓを解析して次のような手順で基準補正データＤｒｅｆを生成するものである。
【００５８】
まず、このシステム１０００に、図示せぬ信号発生器を接続して、電圧レベルＶ１に対応するＲの画像データＤＲ’を供給する（画像データＤＧ’、ＤＢ’については、最低透過率の電圧レベルＶ４に対応させて固定する）。これにより、スクリーンＳには明るい赤一色の画像が、正極性書込・負極性書込により交互に表示される。
次に、この画像は、ＣＣＤカメラ５００によって撮像され、画像信号Ｖｓとして、パーソナルコンピュータ６００に供給される。そして、パーソナルコンピュータ６００は、画像信号Ｖｓから、１フレームの画面を図７に示される縦６個×横８個のブロックに分割して、各ブロックの平均輝度レベルを正極性書込時と負極性書込時とにおいて求め、これに基づいて、各基準座標の輝度レベルを算出する。この際、パーソナルコンピュータ６００は、ある基準座標の輝度レベルについて、当該基準座標に隣接する１、２または４つのブロックの平均輝度レベルを平均して求める。
【００５９】
続いて、パーソナルコンピュータ６００は、基準座標の輝度レベルについて正極性書込・負極性書込と比較し、いずれか一方の書込を基準としたときに、他方の書込において不足分または過剰分を求めて、その分に基づいて基準補正データＤｒｅｆを算出する。なお、本実施形態では、基準となる極性を負極性書込として、正極性書込において補正を行う構成となっているので、負極性書込に対する不足分が算出されることになる。
同様な動作を、パーソナルコンピュータ６００は、６３点のすべての基準座標について、さらに、中央基準レベル（電圧レベルＶ２）、黒基準レベル（Ｖ３）についても実行して、Ｒに対応する基準補正データＤｒｅｆｒを算出する。
【００６０】
引き続き、画像データＤＲ’、ＤＢ’を最低透過率の電圧レベルＶ４に対応させて固定し、Ｇの画像データＤＧ’を白基準レベル、中央基準レベル、黒基準レベルに対応するように順次切り替えて、パーソナルコンピュータ６００に対し、Ｇに対応する基準補正データＤｒｅｆｇを算出させる。
同様に、画像データＤＲ’、ＤＧ’を最低透過率の電圧レベルＶ４に対応させて固定し、Ｂの画像データＤＢ’を白基準レベル、中央基準レベル、黒基準レベルに対応するように順次切り替えて、パーソナルコンピュータ６００に対し、Ｂに対応する基準補正データＤｒｅｆｂを算出させる。そして、このように算出された基準補正データＤｒｅｆｒ、Ｄｒｅｆｇ、Ｄｒｅｆｂが、当該プロジェクタ１１００におけるＲＯＭ１２に格納される。
【００６１】
説明を再び図６に戻すと、補間処理部１３は、白基準レベル、中央基準レベルおよび黒基準レベルに対応する基準補正データＤｒｅｆｒ、Ｄｒｅｆｇ、Ｄｒｅｆｂを、ＲＧＢの色毎に補間処理することによって、ＲＧＢにそれぞれ対応する補正データ（第１補正データ）ＤＨｒ、ＤＨｇ、ＤＨｂを、基準座標毎に算出するものである。
具体的には、補間処理部１３は、例えばＲにおいて、電圧Ｖ１レベル（白基準レベル）に対応する基準補正データＤｒｅｆｒと電圧レベルＶ２（中央基準レベル）に対応する基準補正データＤｒｅｆｒとから、白基準レベルから中央基準レベルまでの各レベルに対応して補正データＤＨｒを算出し、同様に、電圧レベルＶ２に対応する基準補正データＤｒｅｆと電圧レベルＶ３（黒基準レベル）に対応する基準補正データＤｒｅｆｒとから、中央基準レベルから黒基準レベルまでの各レベルに対応して補正データＤＨｒを算出する。
【００６２】
なお、本実施形態における補間処理部１３は、直線補間によって補正データＤＨを算出するものとする。例えば、電圧レベルＶａ（ただし、Ｖ１＜Ｖａ＜Ｖ２）、座標（ｉ、ｊ）、Ｒに対応する補正データＤＨｒは、次の式で与えられる。すなわち、ＤＨｒ＝（ＤＲｗｉ、ｊ）・（Ｖａ−Ｖ１）／（Ｖ２−Ｖ１）＋（ＤＲｃｉ、ｊ）・（Ｖ２−Ｖａ）／（Ｖ２−Ｖ１）
したがって、補間処理部１３によって、６３点の基準座標毎に、電圧レベルＶ１（白基準レベル）から電圧レベルＶ３（黒基準レベル）までの各レベルに対応した補正データＤＨｒ、ＤＨｇ、ＤＨｂが算出されることになる。
【００６３】
次に、Ｒに対応する補正ユニットＵＲは、上述した補間処理部１３で生成された補正データＤＨｒについて座標方向に補間処理を実行して、画像データＤＲ’のレベルおよび座標位置に対応する補正データＣｍｐ−Ｒを出力するものである。同様に、Ｇに対応する補正ユニットＵＧは、補正データＤＨｇについて座標方向に補間処理を実行して、画像データＤＧ’のレベルおよび座標位置に対応する補正データＣｍｐ−Ｇを出力するものであり、Ｂに対応する補正ユニットＵＢは、補正データＤＨｂについて座標方向に補間処理を実行して、画像データＤＢ’のレベルおよび座標位置に対応する補正データＣｍｐ−Ｂを出力するものである。
なお、各補正ユニットＵＲ、ＵＧ、ＵＢは、本実施形態では共通構成であるので、代表してＲに対応する補正ユニットＵＲについて説明することする。
【００６４】
さて、補正ユニットＵＲは、補正テーブル１４Ｒ、演算部１５Ｒおよびアドレス発生部１７Ｒを備えている。
このうち、補正テーブル１４Ｒは、補間処理部１３による補正データＤＨｒについて、基準座標を行アドレスとし、レベル方向を列アドレスとした領域に記憶する一方、読出アドレスで指定された記憶領域から４点の補正データＤＨｒ１〜ＤＨｒ４を出力する構成となっている。
【００６５】
ここで、補正テーブル１４Ｒにおける記憶内容について図１１を参照して説明する。この図において、「ｍ」は電圧レベルＶ１に対応する画像データを示し、「ｎ」は電圧レベルＶ３に対応する画像データを示す。図に示されるように、補正テーブル１４Ｒは、各基準座標に対応付けて補正データＤＨｒを記憶している。ここで、補正データＤＨｒに続く第１番目および第２番目の添字「ｉ、ｊ」は、対応する基準座標を示すものであり、第３番目の括弧内数字は、対応する画像データのレベルを示している。例えば、ＤＨｒ１、１２８（ｍ＋２）とは、基準座標（１、１２８）、画像データのレベル（ｍ＋２）に対応する補正データであることを示している。
【００６６】
次に、アドレス発生部１７Ｒは、Ｘ座標データＤｘ、Ｙ座標データＤｙと、画像データＤＲ’とに基づいて、以下の手順で４つの読出アドレスを順次生成するものである。
すなわち、第１に、アドレス発生部１７Ｒは、Ｘ座標データＤｘおよびＹ座標データＤｙによって特定される座標の近傍に位置する４点の基準座標を特定する。例えば、Ｘ座標データＤｘおよびＹ座標データＤｙによって特定される座標が（６４、６４）であるならば（図７参照）、基準座標として４つの（１、１）、（１２８、１）、（１、１２８）、（１２８、１２８）を特定する。これにより、第１行、第２行、第１０行、第１１行を指示する４つの行アドレスが生成される。
第２に、アドレス発生部１７Ｒは、画像データＤＲ’のレベルに対応する列アドレスを生成する。例えば、画像データＤＲ’のレベルが「ｍ＋１」であるならば、第２列を指示する列アドレスを生成する。ただし、画像データＤＲ’が「ｍ」未満の場合には第１列を指示する列アドレスを生成し、画像データＤＲ’が「ｎ」を越える場合には「ｎ」に対応する列アドレスを生成する。
第３に、アドレス発生部１７Ｒは、４つの行アドレスと１つの列アドレスを組み合わせて４つの読出アドレスを生成する。
そして、このアドレス発生部１４Ｒによって、補正テーブル１４Ｒに記憶されている補正データＤＨｒの中から、４つの補正データＤＨｒ１〜ＤＨｒ４が選択される。例えば、画像データＤＲ’のレベルが「ｍ＋１」であり、Ｘ座標データＤｘおよびＹ座標データＤｙによって特定される座標が（６４、６４）であるならば、図１１においてＤＨｒ１，１（ｍ＋１）と、ＤＨｒ１２８，１（ｍ＋１）と、ＤＨｒ１，１２８（ｍ＋１）と、ＤＨｒ１２８，１２８（ｍ＋１）とが補正データＤＨｒ１〜ＤＨｒ４として補正テーブル１４Ｒから読み出される。
【００６７】
次に、図６における演算部１５Ｒは、読み出された４点の補正データＤＨｒ１〜ＤＨｒ４を用いて、Ｘ座標データＤｘおよびＹ座標データＤｙによって特定される座標（当該画像データＤＲ’に対応する座標）に相当するであろう補正データＣｍｐ−Ｒを補間処理により求めるものである。詳細には、演算部１５Ｒは、４点の補正データＤＨｒ１〜ＤＨｒ４に対し、Ｘ座標データＤｘおよびＹ座標データＤｙによって特定される座標から、補正データＤＨｒ１〜ＤＨｒ４に対応する座標までの各距離に応じて直線補間することにより、補正データＣｍｐ−Ｒを求める。
【００６８】
なお、この補正データＣｍｐ−Ｒは、正極性書込であれば、図５における加算器３２６により画像データＤＲ’と加算されて、Ｄ／Ａ変換器３２８によりアナログの画像信号ＶＩＤＲとして出力される。
また、ここでは、Ｒに対応する補正データＣｍｐ−Ｒを生成する場合について説明したが、Ｇに対応する補正データＣｍｐ−Ｇや、Ｂに対応する補正データＣｍｐ−Ｂについても同様な処理により求められて、正極性書込であれば、それぞれ画像データＤＧ’、ＤＢ’と加算された後、アナログの画像信号ＶＩＤＧ、ＶＩＤＢとして出力されることになる。
【００６９】
＜１−２−２−２：補正回路の動作＞
次に、補正回路３２０の動作について説明する。図１２は、補正回路の動作を示すフローチャートである。
まず、プロジェクタ１１００に電源が投入されると、ＲＯＭ１２から各基準座標に対応する基準補正データＤｒｅｆ（Ｄｒｅｆｒ、Ｄｒｅｆｇ、Ｄｒｅｆｂ）が読み出される（ステップＳ１）。
【００７０】
次に、補間処理部１３は、基準補正データＤｒｅｆｒ、Ｄｒｅｆｇ、Ｄｒｅｆｂに基づいて、レベル方向の補間処理を実行して、補正データＤＨｒ、ＤＨｇ、ＤＨｂを生成する（ステップＳ２）。すなわち、基準補正データＤｒｅｆｒ、Ｄｒｅｆｇ、Ｄｒｅｆｂの各々は、それぞれ、６３点の基準座標における３つの電圧レベルＶ１、Ｖ２、Ｖ３にしか対応していないので、電圧レベルＶ１から電圧レベルＶ３までの各レベルに対応する補正データＤＨｒ、ＤＨｇ、ＤＨｂについては、それぞれ補間処理によって生成することにしたものである。
【００７１】
次に、補正テーブル１４Ｒ、１４Ｇ、１４Ｂに、補正データＤＨｒ、ＤＨｇ、ＤＨｂがそれぞれ格納されると、ドットクロック信号ＤＣＬＫおよび水平クロック信号ＨＣＬＫに同期して、１ドット（画素）分の画像データＤＲ’、ＤＧ’、ＤＢ’が供給されたか否かが判別される（ステップＳ３）。この判別結果が否定的であれば、再び処理の手順がステップＳ３に戻って待機状態になる。
一方、ステップＳ３の判別結果が肯定的であれば、さらに、現時点において信号ＰＳがＨレベルであるか否か（すなわち、正極性書込を行うのか否か）が判別される（ステップＳ４）。この判別結果が否定的であれば（すなわち、負極性書込を行うのであれば）、上述したようにセレクタ３２４によりゼロデータが画像データＤＲ’、ＤＧ’、ＤＢ’に加算されるのみであり、したがって、実質的な補正が行われないまま、再び処理の手順がステップＳ３に戻って待機状態になる。
【００７２】
また、ステップＳ４の判別結果が肯定的であれば、Ｘカウンタ１０から出力されるＸデータ座標ＤｘおよびＹカウンタ１１から出力されるＹデータ座標Ｄｙによって、現時点における画像データＤＲ’、ＤＧ’、ＤＢ’が、表示領域１００ａにおいて、いかなる座標位置に対応しているのかが示されることになる。そして、Ｒについて座標方向の補間処理の元になる補正データＤＨｒ１〜ＤＨｒ４が、Ｘ座標データＤｘおよびＹ座標データＤｙと、画像データＤＲ’のレベルとに基づいて、補正テーブル１４Ｒから読み出される。同様に、Ｇについて座標方向の補間処理の元になる補正データＤＨｇ１〜ＤＨｇ４が、Ｘ座標データＤｘおよびＹ座標データＤｙと、画像データＤＧ’のレベルとに基づいて、補正テーブル１４Ｇから読み出され、Ｂについて座標方向の補間処理の元になる補正データＤＨｂ１〜ＤＨｂ４が、Ｘ座標データＤｘおよびＹ座標データＤｙと、画像データＤＢ’のレベルとに基づいて、補正テーブル１４Ｂから読み出される（ステップＳ５）。
【００７３】
この後、補正データＤＨｒ１〜ＤＨｒ４が、Ｘ座標データＤｘおよびＹ座標データＤｙに基づき、演算部１５Ｒによって補間処理されて、補正データＣｍｐ−Ｒが生成される。同様に、補正データＤＨｇ１〜ＤＨｇ４が、演算部１５Ｇによって補間処理されて、補正データＣｍｐ−Ｇが生成され、補正データＤＨｂ１〜ＤＨｂ４が、演算部１５Ｂによって補間処理されて、補正データＣｍｐ−Ｂが生成される（ステップＳ６）。
【００７４】
そして、補正データＣｍｐ−Ｒと画像データＤＲ’とが加算器３２４によって加算された後、Ｄ／Ａ変換器３２８によってアナログ変換されて、Ｒ（赤）の画像信号ＶＩＤＲとして出力される。同様に、補正データＣｍｐ−Ｇと画像データＤＧ’とが加算された後、アナログ変換されて、Ｇ（緑）の画像信号ＶＩＤＧとして出力され、補正データＣｍｐ−Ｂと画像データＤＢ’とが加算された後、アナログ変換されて、Ｂ（青）の画像信号ＶＩＤＢとして出力される（ステップＳ７）。
この後、次の１ドット分の画像データＤＲ’、ＤＧ’、ＤＢ’についても同様な処理を実行すべく、処理手順が再びＳ３に戻ることになる。
【００７５】
このように、本実施形態によれば、例えばＲについて着目すれば、正極性書込であれば、画像データＤＲ’のレベル全域にわたって、適切な補正データＣｍｐ−Ｒが求められて、画像データＤＲ’に加算されるが、負極性書込であれば、画像データＤＲ’の実質的な補正は行われないので、液晶容量に印加される電圧実効値は、両極性でほぼ等しくなる。例えば、図１３（ｂ）に示されるように、正極性書込において、補正量データＣｍｐ−Ｒに相当する電圧Ｃｍｐが、補正しない場合の電圧Ｖｇｐに加算されて画素電極に印加されるので、負極性書込において電圧Ｖｇｎを画素電極に印加したときの電圧実効値に対して不足していた分が補われる結果、液晶容量に印加される電圧実効値は両極性でほぼ等しくなる。このため、フリッカ等による表示品位の低下が抑えられることになる。
【００７６】
さらに、補正回路３２０においては、同じくＲについて着目すれば、基準座標毎に対応し、かつ、３つの電圧レベルＶ１、Ｖ２、Ｖ３に対応する基準補正データＤｒｅｆｒから、画像データの各レベルに対応する補正データＤＨｒが基準座標毎に生成されるとともに、４点の補正データＤＨｒ１〜ＤＨｒ４に対し、Ｘ座標データＤｘおよびＹ座標データＤｙに応じ補間処理が施されて、補正データＣｍｐ−Ｒが生成される。このため、画像データのレベルのみならず、画像データＤＲ’の座標位置にも対応して補正が施されるので、フリッカ等の表示品位の低下を、表示領域１００ａの全域にわたって適切に抑えることが可能となる。
【００７７】
くわえて、レベルに対応する補間処理を実行した後に、座標方向に補間処理が実行されるので、すなわち、２段階の補間処理が実行されるので、ＲＯＭ１２および補正テーブル１４Ｒのメモリ容量が大幅に削減されることになる。
また、Ｘカウンタ１０、Ｙカウンタ１１、ＲＯＭ１２および補間処理部１３は、各補正ユニットＵＲ、ＵＧ、ＵＢで兼用しているので、その分、構成が簡易となる結果、低コストを図ることが可能である。
なお、上述した実施形態にあっては、ガンマ補正回路３１０の後段に補正回路３２０が設けられたが、これを逆転させ、画像データＤＲ、ＤＧ、ＤＢを補正回路３２０に入力して補正を施した後に、ガンマ補正を施すようにしてもよいことは勿論である。
【００７８】
＜２：第２実施形態＞
次に、本発明の第２実施形態に係るプロジェクタについて説明する。このプロジェクタは、第１実施形態のうち、補正回路３２０における補正量出力部３２２を、図１４に示される補正量出力部３２２’に置換したものである。なお、他の部分については、第１実施形態と同様であるので、その説明を省略することにする。
【００７９】
＜２−１：補正回路、特に補正量出力部の構成＞
さて、図１４に示される補正量出力部３２２’は、基準補正データＤｒｅｆｒ、Ｄｒｅｆｇ、Ｄｒｅｆｂを予め記憶しておき、補間処理部１３によってレベル方向の補間を施して補正データＤＨｒ、ＤＨｇ、ＤＨｂを生成し、さらに、これらに基づいて補正データＣｍｐ−Ｒ、Ｃｍｐ−Ｇ、Ｃｍｐ−Ｂを生成するといった基本的仕組みは、第１実施形態における補正量出力部３２２（図６参照）と共通である。
【００８０】
しかしながら、第２実施形態における補正量出力部３２２’は、ＲＯＭ１２の替わりに記憶容量の少ないＲＯＭ１２’を用いる点、および、補正テーブル１４Ｒ、１４Ｂの替わりに記憶容量の少ない補正テーブル１４Ｒ’、１４Ｂ’を用いる点で、第１実施形態の補正量出力部３２２と相違している。
【００８１】
さて、人の視覚には、Ｒ（赤）、Ｂ（青）と比較してＧ（緑）の感度が高いといった特性がある。このため、フリッカ等にあっては、Ｇが視認されやすくなる反面、ＲやＢでは視認されにくい傾向がある。したがって、ＲＧＢの補正精度を必ずしも同一とする必要はなく、むしろＲやＢの補正精度をＧに比べて相対的に落とすことにより、必要なメモリ容量を削減することができる。
本実施形態は、この点に鑑みてなされたものであり、人の視覚特性に応じて、基準補正データＤｒｅｆｒ、Ｄｒｅｆｇ、Ｄｒｅｆｂのデータ量の割合を定めることにより、ある記憶容量のＲＯＭ１２’を用いて、視覚上最大の効果を得られるようにしたものである。そこで、以下、補正量出力部３２２’に用いられるＲＯＭ１２’および補正テーブル１４Ｒ’、１４Ｂ’を中心に説明する。
【００８２】
まず、図１５は、第２実施形態における基準座標について、表示領域１００ａとの関連において説明するための概念図である。この図に示されるように、表示領域は、第１実施形態と同様に横１０２４ドット×縦７６８ドットで構成されるが、Ｇと、ＲＢとの基準座標は、互いに異なっている。すなわち、Ｇの基準座標は、表示領域１００ａを、横８個×縦６個のブロックに分割して、これらブロックの頂点に位置する計６３点の座標（図において黒丸および二重丸で示される）である。一方、ＲおよびＢの基準座標は、Ｇの基準座標に対応する６３点のうち、二重丸で示される２０点のみである。すなわち、Ｒ、Ｂの基準座標は、Ｇの基準座標の中からを一定の規則に従って抽出したものである。
したがって、Ｒの基準補正データＤｒｅｆｒおよびＢの基準補正データＤｒｅｆｂは、それぞれ２０点の基準座標の各々に対応して記憶されるので、６３点の基準座標の各々に対応して記憶されるＧの基準補正データＤｒｅｆｇと比較して、そのデータ量は、２０／６３（≒１／３）になる。
【００８３】
次に、本実施形態におけるＲＯＭ１２’において、基準補正データＤｒｅｆｒ、Ｄｒｅｆｇ、Ｄｒｅｆｂがどのように格納されるかについて、図１６を参照して説明する。この図に示されるように、ＲＯＭ１２’において、Ｇにあっては、基準補正データＤＧｗｉ，ｊと、ＤＧｃｉ，ｊと、ＤＧｂｉ，ｊとのトリオが、６３点の基準座標毎に記憶されている。一方、ＲＯＭ１２’において、Ｒにあっては、基準補正データＤＲｗｉ，ｊと、ＤＲｃｉ，ｊと、ＤＲｂｉ，ｊとのトリオが、２０点の基準座標毎に記憶され、同様に、Ｂにあっては、基準補正データＤＢｗｉ，ｊと、ＤＢｃｉ，ｊと、ＤＢｂｉ，ｊとのトリオが、２０点の基準座標毎に記憶されている。
【００８４】
このため、基準補正データＤｒｅｆｒ、Ｄｒｅｆｂは、例えば、図１６に示される第１行の基準座標（１、１）、（１２８、１）、…、（１０２４、１）のうち、（１、１）、（２５６、１）、（５１２、１）、（７６８、１）、（１０２４、１）について記憶され、第２行については記憶されないことになる。さらに、第３行以降についても第１行および第２行と同様に基準座標が間引かれる。したがって、ＲＯＭ１２’の記憶容量は、すべての基準座標について記憶する場合（第１実施形態のＲＯＭ１２）と比較して、（２０＋６３＋２０）／（６３＋６３＋６３）、すなわち約５４％で済む。これにより、まず、ＲＯＭ１２’の記憶容量を大幅に削減することができる。
【００８５】
次に、このような基準補正データＤｒｅｆｒから補間処理により生成される補正データＤＨｒが、補正テーブル１４Ｒ’において、どのように記憶されるかについて、図１７を参照して説明する。この図に示されるように、補正テーブル１４Ｒ’には、補正データＤＨｒが、２０点の基準座標毎に、かつ、第１列に相当する電圧レベルＶ１から第ｎ列に相当する電圧レベルＶ３までのレベル毎に、それぞれ対応して記憶されている。
【００８６】
ここで、第１実施形態においては、ＲＧＢの各々について、６３点の基準座標に対応して基準補正データＤｒｅｆｒ、Ｄｒｅｆｂを記憶する一方、これらにレベル方向の補間処理を施して、補正データＤＨｒ、ＤＨｂを生成していた。これに対して、第２実施形態では、Ｒ、Ｂについては、２０点の基準座標に対応して基準補正データＤｒｅｆｒ、Ｄｒｅｆｂを記憶する一方、これらにレベル方向の補間処理を施して、補正データＤＨｒ、ＤＨｂを生成している。このため、第２実施形態において、補正データＤＨｒ、ＤＨｂのデータ量は、第１実施形態と比較して約１／３に減少する。したがって、これらを記憶する補正テーブル１４Ｒ’、１４Ｂ’の記憶容量を約１／３に削減することができる。
【００８７】
＜２−２：補正回路、特に補正量出力部の動作＞
次に、第２実施形態における補正量出力部３２２’の動作を具体的に説明する。まず、電源が投入されると、ＲＯＭ１２’から、Ｇについては６３点の基準座標に対応する基準補正データＤｒｅｆｇが読み出される一方、Ｒおよび色については２０点の基準座標に対応する基準補正データＤｒｅｆｒ、Ｄｒｅｆｂが読み出される。
続いて補間処理部１３は、各基準補正データＤｒｅｆｒ、Ｄｒｅｆｇ、Ｄｒｅｆｂにレベル方向の補間処理を施して、補正データＤＨｒ、ＤＨｇ、ＤＨｂを生成し、これらを補正テーブル１４Ｒ’、１４Ｇ、１４Ｂ’に転送する。
【００８８】
一方、Ｘカウンタ１０はドットクロック信号ＤＣＬＫを、Ｙカウンタ１１は水平クロック信号ＨＣＬＫを、それぞれカウントするが、これらのカウント結果であるＸ座標データがＤｘ＝６４となり、かつ、Ｙ座標データがＤｙ＝６４となった場合を想定する。すなわち、図１５において、座標（６４、６４）のドットに対応する画像データＤＲ’、ＤＧ’、ＤＢ’を補正する場合について想定する。
【００８９】
さて、座標方向の補間処理の元になる補正データであって、Ｒに対応する４点の補正データＤＨｒ１〜ＤＨｒ４が、Ｘ座標データＤｘおよびＹ座標データＤｙと、画像データのレベルとに基づいて、補正テーブル１４Ｒ’から読み出される。Ｇについても４点の補正データＤＨｇ１〜ＤＨｇ４が補正テーブル１４Ｇから読み出され、同様に、Ｂについても４点の補正データＤＨｂ１〜ＤＨｂ４が補正テーブル１４Ｂ’から読み出される。
ここで、Ｇについては、（１、１）、（１２８、１）、（１、１２８）、（１２８、１２８）の各基準座標に対応する補正データが読み出される一方、Ｒおよび色については、それぞれ（１、１）、（２５６、１）、（１、２５６）、（２５６、２５６）の各基準座標に対応する補正データが読み出される。
【００９０】
この後、演算部１５Ｒ、１５Ｇ、１５Ｂの各々は、それぞれ、Ｘ座標データＤｘおよびＹ座標データＤｙに基づいて、対応する色の４点の補正データに補間処理を施す。なお、補間処理は、直線補間を用いて行われるが、その精度は、表示すべき画像データの座標と元になる補正データとの距離に応じて定まり、距離が長くなるにつれて精度が悪化する。したがって、補間処理によって生成された補正データＣｍｐ−Ｒ、Ｃｍｐ−Ｂの精度については、補正データＣｍｐ−Ｇに比べて低下するが、上述したように、人のＲおよびＢについての視覚感度は、Ｇに比較して低いので、ＲＧＢの原色画像を合成した場合の表示品質は、ほとんど低下させないで済む。
【００９１】
なお、第２実施形態は、人の視覚特性に応じて、基準補正データＤｒｅｆｒ、Ｄｒｅｆｇ、Ｄｒｅｆｂのデータ量を異ならせるものであるから、すべての基準座標について基準補正データＤｒｅｆｒ、Ｄｒｅｆｇ、Ｄｒｅｆｂを用意するが、Ｄｒｅｆｇについては１０ビット、ＤｒｅｆｒおよびＤｒｅｆｂについては５ビットといったように、各データのビット数を視覚特性に応じて定めるようにしてもよい。
【００９２】
＜３：第３実施形態＞
上述した第１および第２実施形態にあっては、白基準レベル（電圧レベルＶ１）から黒基準レベル（電圧レベルＶ３）までの範囲に限って、各レベルに対応した補正データＤＨｒ、ＤＨｇ、ＤＨｂを補間処理部１３によって算出し、これらを、補正テーブル１４Ｒ、１４Ｇ、１４Ｂの各々によって記憶する一方、白基準レベルＶ１未満の領域では、電圧レベルＶ１に対応する基準補正データＤｒｅｆを、黒基準レベルＶ３を越える領域では、電圧レベルＶ３に対応する基準補正データＤｒｅｆを、それぞれ一律に用いる構成となっていた。これは、電圧レベルＶ１未満の領域、または、電圧レベルＶ３を越える領域においては、画像データのレベルが大きく相違しても、透過率変化が小さいので、電圧レベルＶ１またはＶ３に対応する基準補正データＤｒｅｆを用いれば、通常では十分である、と考えたからである。
【００９３】
しかしながら、実際には、電圧レベルＶ１未満に対応する輝度レベルの表示をする場合に、電圧レベルＶ１未満である画像データの補正データとして、電圧レベルＶ１に対応する基準補正データＤｒｅｆを一律に用いると、当該補正データは該画像データに真に対応するものではないので、補正が十分に行われない事態が想定される。同様な事態は、電圧レベルＶ３を越える輝度レベルの表示をする場合にも発生し得る、と考えられる。
【００９４】
そこで、本発明の第３実施形態では、電圧レベルＶ１未満の領域および電圧レベルＶ３を越える領域においても、それらの領域の電圧レベルに対応して適切な補正データを算出する構成として、電圧レベルＶ１未満および電圧レベルＶ３を越える領域に対応する輝度レベルにおいてもフリッカ等の解消を図ることにした。
【００９５】
ところで、電圧レベルＶ１未満の領域において、該電圧レベルに対応する補正データを算出するにしても、その補正データの内容は、電圧レベルＶ１に対応する基準補正データＤｒｅｆと大きな差はないと考えられる。このため、本実施形態では、補正すべき画像データのレベルが、白基準レベルに対応する電圧レベルＶ１未満である場合、電圧レベルＶ１に対応する基準補正データＤｒｅｆに、当該画像データのレベルと電圧レベルＶ１との差に応じた係数を乗算して、その積を、当該電圧レベルに対応する補正データとして用いることとした。
同様に、電圧レベルＶ３を越える領域において、該電圧レベルに対応する補正データを算出するにしても、その補正データの内容は、電圧レベルＶ３に対応する基準補正データＤｒｅｆと大きな差はないと考えられるので、補正すべき画像データのレベルが、黒基準レベルに対応する電圧レベルＶ３を越える場合、電圧レベルＶ３に対応する基準補正データＤｒｅｆに、当該画像データのレベルと電圧レベルＶ１との差が大きくなるにつれて「１」よりも次第に大きくなる係数を乗算して、その積を、当該電圧レベルに対応する補正データとして用いることとした。
【００９６】
一方、上述した第１および第２実施形態にあって、アドレス発生部１７Ｒ（１７Ｇ、１７Ｂ）は、補正テーブル１４Ｒ（１４Ｇ、１４Ｂ）に対し、画像データＤＲ’（ＤＧ’、ＤＢ’）が電圧レベルＶ１未満の場合、第１列を指示する列アドレスを生成して、近傍に位置する４点の基準座標にあって電圧レベルＶ１に対応する補正データを読み出し、また、画像データＤＲ’（ＤＧ’、ＤＢ’）が電圧レベルＶ３を越える場合、第ｎ列を指示する列アドレスを生成して、近傍に位置する４点の基準座標にあって電圧レベルＶ３に対応する補正データを読み出す構成となっている。
【００９７】
この構成を考慮したので、第３実施形態では、電圧レベルＶ１、Ｖ３に対応する補正データに係数を乗算するポイントを、図６において、Ｒについて補正テーブル１４Ｒから演算部１５Ｒまでの間とし、同様にＧについて補正テーブル１４Ｇから演算部１５Ｇまでの間とし、Ｂについて補正テーブル１４Ｂから演算部１５Ｇまでの間とした。
【００９８】
＜３−１：補正回路、特に補正量出力部の構成＞
ここで、第３実施形態における補正回路３２０について詳述することにする。図１８は、本実施形態における補正回路のうち、補正量出力部の要部構成を示すブロック図であり、図６にあって、補正テーブル１４Ｒから演算部１５Ｒまでの間において追加される構成を示したものである。なお、ＧおよびＢについても同様な構成が追加されることになる。
【００９９】
図１８において、Ｗ−ＬＵＴ（ルックアップテーブル）３２２２および係数補間部３２２４は、補正すべき画像データＤＲ’のレベルが、電圧レベルＶ１（白基準レベル）未満である場合に、当該レベルに対応する係数ｋｗを出力するものである。
詳細には、Ｗ−ＬＵＴ３２２２は、例えば図１９に示されるように、白基準レベルＶ１からレベルが小さくなるにつれて、徐々に「１」から変化する特性曲線上にあって、電圧レベルＶ０、Ｖｗ１、Ｖｗ２、Ｖ１の４点に対応した係数データｋｗｍａｘ、ｋｗ１、ｋｗ２、ｋｗｍｉｎをそれぞれ記憶する一方、最小電圧レベルＶ０以上電圧レベルＶ１（白基準レベル）未満である画像データＤＲ’を入力すると、そのレベルの前後に位置する２点の係数データを出力するものである。例えば、Ｗ−ＬＵＴ３２２２は、電圧レベルＶｗ１以上電圧レベルＶｗ２以下である場合には、電圧レベルＶｗ１に対応する係数データｋｗ１と、電圧レベルＶｗ２に対応する係数データｋｗ２との２点の係数データを出力する。
さらに、係数補間部３２２４は、Ｗ−ＬＵＴ３２２２から出力された２点の係数データを補間処理して、電圧レベルＶ１未満である画像データＤＲ’のレベルに対応する係数データｋｗを、乗算器Ｍ１１〜Ｍ１４における入力端の一方に供給するものである。
【０１００】
同様に、Ｂ−ＬＵＴ３２４２および係数補間部３２４４は、画像データＤＲ’のレベルが、電圧レベルＶ３（黒基準レベル）を越える場合に、当該レベルに対応する係数ｋｂを出力するものである。
詳細には、Ｂ−ＬＵＴ３２４２は、例えば図２０に示されるように、黒基準レベルＶ３からレベルが大きくなるにつれて、徐々に「１」から大きくなる特性曲線上にあって、電圧レベルＶ３、Ｖｂ１、Ｖｂ２、Ｖ４の４点に対応した係数データｋｂｍｉｎ、ｋｂ１、ｋｂ２、ｋｂｍａｘをそれぞれ記憶する一方、電圧レベルＶ３（黒基準レベル）を越え、最大電圧レベルＶ４以下である画像データＤＲ’を入力すると、そのレベルの前後に位置する２点の係数データを出力するものである。例えば、Ｂ−ＬＵＴ３２４２は、電圧レベルＶｂ２以上電圧レベルＶ４以下である場合には、電圧レベルＶｂ２に対応する係数データｋｂ２と、電圧レベルＶ４に対応する係数データｋｂｍａｘとの２点の係数データを出力する。
さらに、係数補間部３２４４は、Ｂ−ＬＵＴ３２４２から出力された２点の係数データを補間処理して、電圧レベルＶ３を越える画像データＤＲ’のレベルに対応する係数データｋｂを、乗算器Ｍ２１〜Ｍ２４における入力端の一方に供給するものである。なお、本実施形態において、Ｗ−ＬＵＴ３２２２の係数特性およびＢ−ＬＵＴ３２４２の係数特性については、図８に示される表示特性を考慮して設定されるので、実際には、図１９および図２０に示される特性曲線とは異なる場合がある。
【０１０１】
さて、本実施形態において、補正テーブル１４Ｒから読み出される４点の補正データのうち、補正データＤＨｒ１は、次の３つの経路に分岐して出力される。すなわち、補正データＤＨｒ１は、第１番目の経路として、乗算Ｍ１１における入力端の他方に供給され、第２番目の経路として、セレクタ３２７０の入力端ｂに供給され、第３番目の経路として、乗算器Ｍ２１における入力端の他方に供給されている。他の３点の補正データＤＨｒ２、ＤＨｒ３、ＤＨｒ４についても同様に、第１番目の経路として、それぞれ乗算器Ｍ１２、Ｍ１３、Ｍ１４における入力端の他方に供給され、第２番目の経路として、それぞれセレクタ３２７０の入力端ｂに供給され、第３番目の経路として、それぞれ乗算器Ｍ２２、Ｍ２３、Ｍ２４における入力端の他方に供給されている。なお、乗算器Ｍ１１〜Ｍ１４における乗算結果は、それぞれセレクタ３２７０の入力端ａに供給され、また、乗算器Ｍ２１〜Ｍ２４における乗算結果は、それぞれセレクタ３２７０の入力端ｃに供給されている。
【０１０２】
続いて、４つのセレクタ３２７０は、制御信号ｓｅｌにしたがって、入力端ａ、ｂ、ｃのいずれかを選択出力するものである。また、データ判別部３２６０は、画像データＤＲ’のレベルを判別して、４つのセレクタ３２７０に対して次のような制御信号ｓｅｌを出力するものである。すなわち、データ判別部３２６０は、画像データＤＲ’のレベルが、電圧レベルＶ１未満である場合には入力端ａを選択させ、電圧レベルＶ１以上であって電圧レベルＶ３以下である場合には入力端ｂを選択させ、電圧レベルＶ３を越える場合には入力端ｃを選択させる制御信号ｓｅｌを出力するものである。なお、演算部１５Ｒは、４つのセレクタ３２７０によって選択出力された補正データに基づいて、Ｘ座標データＤｘおよびＹ座標データＤｙによって特定される座標（当該画像データＤＲ’に対応する座標）に相当するであろう補正データＣｍｐ−Ｒを補間処理により求める点で第１および第２実施形態と共通である。
すなわち、本実施形態における演算部１５Ｒは、画像データＤＲ’のレベルが電圧レベルＶ１未満である場合には乗算器Ｍ１１〜Ｍ１４による演算結果に対し、また、画像データＤＲ’のレベルが電圧レベルＶ３を越える場合には乗算器Ｍ２１〜Ｍ２４による演算結果に対し、それぞれ座標方向に補間処理を施す構成となっている。
【０１０３】
＜３−２：補正回路の動作＞
次に、第３実施形態における補正回路３２０の動作について、Ｒに着目して具体的に説明する。ただし、座標方向の補間処理の元になる４つの補正データＤＨｒ１〜ＤＨｒ４が、Ｘ座標データＤｘおよびＹ座標データＤｙと、画像データＤＲ’のデータ値とに基づいて、補正テーブル１４Ｒから読み出される（図１２におけるステップＳ５）点までの動作は、第１実施形態と同様である。
また、演算部１５Ｒが、４点の補正データに基づいて、Ｘ座標データＤｘおよびＹ座標データＤｙによって特定される座標に相当するであろう補正データＣｍｐ−Ｒを補間処理する点およびそれ以降の動作についても第１実施形態と同様である。
したがって、ここでは、補正テーブル１４Ｒから読み出された４つの補正データＤＨｒ１〜ＤＨｒ４が、演算部１５Ｒに供給されるまでの動作を中心に、以下のように場合分けして説明することにする。
【０１０４】
＜３−２−１：画像データのレベルがＶ１未満である場合＞
まず、供給された画像データＤＲ’のレベルが、白基準レベルに対応する電圧レベルＶ１未満である場合の動作について説明する。この場合、Ｗ−ＬＵＴ３２２２は、当該画像データＤＲ’のレベルの前後に位置する２点の係数データを出力し、係数補間部３２２４は、該２点の係数データを補間処理して、当該画像データＤＲ’のレベルに対応する係数データｋｗを出力する。
【０１０５】
一方、供給された画像データＤＲ’のレベルが電圧レベルＶ１未満である場合、補正テーブル１４Ｒから出力される４つの補正データＤＨｒ１〜ＤＨｒ４は、すでに述べたように、Ｘ座標データＤｘおよびＹ座標データＤｙで特定される座標の周囲近傍に位置する４点の基準座標に対応するものであって、それら基準座標においてそれぞれ白基準レベルに対応するものである。
【０１０６】
したがって、乗算器Ｍ１１〜Ｍ１４による各乗算結果は、当該画像データＤＲ’のレベルと白基準レベルたる電圧レベルＶ１との差に応じて、４点の基準座標の各々においてそれぞれ電圧レベルＶ１に対応する補正データを適切に反映したものとなる。そして、４つのセレクタ３２７０にあっては、それぞれ入力端ａが、データ判別部３２６０によって選択されるので、演算部１５Ｒは、乗算器Ｍ１１〜Ｍ１４による乗算結果の４つに対して座標方向に補間演算を施すことによって、当該画像データＤＲ’に対応する補正データＣｍｐ−Ｒを求めることになる。
なお、ここでは、Ｒの画像データＤＲ’に対応する補正データＣｍｐ−Ｒの算出動作について説明したが、Ｇの画像データＤＧ’についての補正データＣｍｐ−ＧおよびＢの画像データＤＢ’についての補正データＣｍｐ−Ｂの算出動作もそれぞれ同様である。
【０１０７】
＜３−２−２：画像データのレベルがＶ１以上Ｖ３以下である場合＞
次に、供給された画像データＤＲ’のレベルが、白基準レベルに対応する電圧レベルＶ１以上であって、黒基準レベルに対応する電圧レベルＶ３以下である場合の動作について説明する。
【０１０８】
この場合、補正テーブル１４Ｒから出力される４つの補正データＤＨｒ１〜ＤＨｒ４は、すでに述べたように、Ｘ座標データＤｘおよびＹ座標データＤｙで特定される座標の周囲近傍に位置する４点の基準座標に対応するものであって、それら基準座標において当該画像データのレベルに対応するものである。一方、４つのセレクタ３２７０にあっては、それぞれ入力端ｂが、データ判別部３２６０によって選択されるので、演算部１５Ｒは、補正テーブル１４から読み出された４つの補正データＤＨｒ１〜ＤＨｒ４を座標方向に補間演算を施すことによって、当該画像データＤＲ’に対応する補正データＣｍｐ−Ｒを求めることになる。すなわち、この算出動作は、上述した第１実施形態と全く同じであるので、画像データＤＲ’のレベルが、白基準レベルに対応する電圧レベルＶ１以上であって、黒基準レベルに対応する電圧レベルＶ３以下である場合の動作は、第１実施形態と同様にフリッカ等が解消されることになる。
【０１０９】
＜３−２−３：画像データのレベルがＶ３を越える場合＞
続いて、供給された画像データＤＲ’のレベルが、黒基準レベルに対応する電圧レベルＶ３を越える場合の動作について説明する。この場合、Ｂ−ＬＵＴ３２４２は、当該画像データＤＲ’のレベルの前後に位置する２点の係数データを出力し、係数補間部３２４４は、該２点の係数データを補間処理して、当該画像データＤＲ’のレベルに対応する係数データｋｂを出力する。
【０１１０】
一方、供給された画像データＤＲ’のレベルが電圧レベルＶ３を越える場合、補正テーブル１４Ｒから出力される４つの補正データＤＨｒ１〜ＤＨｒ４は、すでに述べたように、Ｘ座標データＤｘおよびＹ座標データＤｙで特定される座標の周囲近傍に位置する４点の基準座標に対応するものであって、それら基準座標においてそれぞれ黒基準レベルに対応するものである。
【０１１１】
したがって、乗算器Ｍ２１〜Ｍ２４による各乗算結果は、当該画像データＤＲ’のレベルと黒基準レベルたる電圧レベルＶ３との差に応じて、４点の基準座標の各々においてそれぞれ電圧レベルＶ３に対応する補正データを適切に拡大したものとなる。そして、４つのセレクタ３２７０にあっては、それぞれ入力端ｃが、データ判別部３２６０によって選択されるので、演算部１５Ｒは、乗算器Ｍ２１〜Ｍ２４による乗算結果の４つに対して座標方向に補間演算を施すことによって、当該画像データＤＲ’に対応する補正データＣｍｐ−Ｒを求めることになる。
なお、ここでは、Ｒの画像データＤＲ’に対応する補正データＣｍｐ−Ｒの算出動作について説明したが、Ｇの画像データＤＧ’についての補正データＣｍｐ−ＧおよびＢの画像データＤＢ’についての補正データＣｍｐ−Ｂの算出動作もそれぞれ同様である。
【０１１２】
このように第３実施形態によれば、画像データＤＲ’のレベルが電圧Ｖ１未満である場合には、白基準レベルに対応する補正データに、また、画像データＤＲ’のレベルが電圧Ｖ３を越える場合には、黒基準レベルに対応する補正データに、それぞれ画像データのレベルに対応する係数を乗じることによって、当該レベルに対応する補正データを求めて、さらに、座標方向に補間演算を行うことにより補正データＣｍｐ−Ｒを求めているので、電圧レベルＶ１未満の領域および電圧Ｖ３を越える領域に対応するレベルにおいても適切にフリッカ等の解消を図ることが可能となる。
なお、第３実施形態にあっては、第１実施形態における補正量出力部３２２（図６参照）に適用した場合について説明したが、第２実施形態における補正量出力部３２２’（図１４参照）にも、もちろん適用可能である。
【０１１３】
また、第３実施形態にあっては、電圧レベルＶ１未満の領域に対応してＷ−ＬＵＴ３２２２を、電圧レベルＶ３を越える領域に対応してＢ−ＬＵＴ３２４２を、それぞれ用意したが、ルックアップテーブルを共用化することも可能である。さらに、電圧レベルＶ１未満の領域、または、電圧レベルＶ３を越える領域のうち、いずれか一方の領域のみについてルックアップテーブルを用いて補正データの算出を行うようにしても良い。
さらに、第３実施形態にあっては、Ｗ−ＬＵＴ３２２２およびＢ−ＬＵＴ３２２４において、それぞれ電圧レベルの異なる４点において係数データを記憶する構成としたが、精度を向上させる目的で５点以上記憶する構成としても良いし、記憶容量を削減する目的で３点または２点記憶する構成としても良い。
【０１１４】
＜４：実施形態の応用、変形＞
上述した実施形態において、レベル方向の補間処理や、座標方向の補間処理については、直線内分補間のほかに、外分補間やｎ次補間など、種々の補間方法が適用可能である。
【０１１５】
また、ＲＯＭ１２に記憶させる基準補正データの決定方法にも、上述した方法のほか、種々の方法が考えられる。例えば、ある色の中間（灰色）レベルに対応し、かつ、ある基準座標に対応する基準補正データＤｒｅｆについては、次のように設定しても良い。
第１に、該色の中間レベルに対応し、かつ、該基準座標に対応する画像データに補正データを加算しない状態として、正極性書込および負極性書込を交互に実行し、第２に、当該基準座標でのフリッカ等が最小となるように、対向電極１０８の電位ＬＣｃｏｍを調整し（図１３（ｃ）参照）、第３に、この調整による変化分ΔＶに基づいて、当該基準補正データを決定しても良い。
【０１１６】
あるいは、第１に、ある基準座標に対応する画素に着目し、対向電極１０８の電位ＬＣｃｏｍを一定として、極性反転後における正極性書込の画像信号電位と負極性書込の画像信号電位とを互いに異なる方向に、かつ、同一の変位量となるようにシフトさせつつ、フリッカが最小となるポイントを求め、第２に、このポイントまでの変位量に基づいて、当該基準座標に対応する基準補正データを決定しても良い。
【０１１７】
一方、実施形態においては、正極性書込に対応する画像データＤＲ’、ＤＧ’、ＤＧ’の各々に対して、補正データＣｍｐ−Ｒ、Ｃｍｐ−Ｇ、Ｃｍｐ−Ｂを加算して、負極性書込に対応する画像データについては補正しない構成としたが、これとは反対に、負極性書込に対応する画像データＤＲ’、ＤＧ’、ＤＧ’の各々に対して、補正データを加算して、正極性書込に対応する画像データについては補正しない構成としても良い。
【０１１８】
さらに、いずれか一方の極性に対してだけではなく、図２１に示されるように、正極性書込に対応する画像データに対し補正データを加算する一方、負極性書込に対応する画像データに対しても補正データを加算する構成としても良い。この構成では、セレクタ３２４によって、正極性書込に対応する場合には、正極用の補正量出力部３２２による補正データが選択される一方、負極性書込に対応する場合には、負極用の補正量出力部３２３による補正データが選択されて、それぞれ加算器３２４によって元の画像データに加算されることになる。ただし、このような構成では、補正量出力部３２３、３２４の２つが必要となるので、回路規模を縮小する場合には不向きである。
【０１１９】
また、図５にあっては、補正量出力部３２２から加算器３２６までの処理時間については理想的にゼロとしているが、実際にはある程度の時間を要するので、補正前の画像データＤＲ’、ＤＧ’、ＤＢ’をそれぞれ加算器３２６に入力する前に、補正データＣｍｐ−Ｒ、Ｃｍｐ−Ｇ、Ｃｍｐ−Ｂの出力タイミングを一致させるための遅延器が設けられる。図２１に示される構成についても同様である。
【０１２０】
一方、上述した実施形態にあっては、６本のデータ線１１４が１ブロックにまとめられて、１ブロックに属する６本のデータ線１１４に対して、６系統に変換された画像信号ＶＩＤ１〜ＶＩＤ６をサンプリングする構成したが、変換数および同時に印加するデータ線数（すなわち、１ブロックを構成するデータ線数）は、「６」に限られるものではない。例えば、サンプリングスイッチ１５１の応答速度が十分に高いのであれば、画像信号をパラレルに変換することなく１本の画像信号線にシリアル伝送して、データ線１１４毎に順次サンプリングするように構成しても良い。
【０１２１】
また、変換数および同時に印加するデータ線の数を「３」や、「１２」、「２４」等として、３本や、１２本、２４本等のデータ線に対して、３系統変換や、１２系統変換、２４系統変換等した画像信号を同時に供給する構成としても良い。なお、変換数としては、カラーの画像信号が３つの原色に係る信号からなることとの関係から、３の倍数であることが制御や回路などを簡易化する上で好ましい。ただし、前述したプロジェクタのように単なる光変調の用途の場合には、３の倍数である必要はない。
さらに、実施形態にあって、補正回路３００は、画像信号のシリアル−パラレル変換の前に、補正を行う構成となっていたが、シリアル−パラレル変換の後に、補正を行う構成としても良いし、上述したようにシリアル−パラレル変換を行わない構成でも良い。
【０１２２】
くわえて、実施形態にあっては、液晶容量に印加される電圧実効値がゼロである場合に白色表示を行うノーマリーホワイトモードとして説明したが、液晶容量に印加される電圧実効値がゼロである場合に黒色表示を行うノーマリーブラックモードとしても良い。
【０１２３】
一方、実施形態にあっては、画素電極１１８のスイッチング素子としてＴＦＴ１１６を用いたが、基板として、シリコン基板などを用いるとともに、ここに各種の素子を形成しても良い。このような場合には、各種スイッチとして、電界効果型トランジスタを用いることができるので、高速動作が容易となる。ただし、素子基板１０１が透明性を有しない場合、画素電極１１８をアルミニウムで形成したり、別途反射層を形成したりするなどして、反射型として用いる必要がある。
【０１２４】
さらに、上述した実施形態では、液晶としてＴＮ型を用いたが、ＢＴＮ（Ｂｉ−ｓｔａｂｌｅ　Ｔｗｉｓｔｅｄ　Ｎｅｍａｔｉｃ）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。
また、電圧無印加時には液晶分子が両基板に対して垂直方向に配列する一方、電圧印加時には液晶分子が両基板に対して水平方向に配列する、という垂直配向（ホメオトロピック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶の型（モード）や配向方式として、種々のものに適用することが可能である。
【０１２５】
＜５：電子機器＞
次に、上述した処理回路をプロジェクタ以外の電子機器に用いた例について説明する。
【０１２６】
＜５−１：モバイル型コンピュータ＞
まず、上述した処理回路を、モバイル型のコンピュータの表示部に適用した例について説明する。図２２は、このコンピュータの構成を示す斜視図である。図において、コンピュータ２１００は、キーボード２１０２を備えた本体部２１０４と、液晶パネル１００とから構成されている。また、液晶パネル１００の背面には、視認性を高めるためのバックライトユニット（図示省略）が設けられる。
【０１２７】
ここで、上述したプロジェクタ１１００は、ＲＧＢの各色にそれぞれ対応する液晶パネル１００Ｒ、１００Ｇ、１００Ｂの３板構成であったが、この液晶パネル１００は、カラーフィルタにより１枚でＲＧＢの各色を表示するものである。したがって、このような液晶パネル１００に対しては、画像信号ＶＩＤｒ１〜ＶＩＤｒ６、ＶＩＤｇ１〜ＶＩＤｇ６、ＶＩＤｂ１〜ＶＩＤｂ６は、並列的に供給されるのではなく、時分割で供給されることになる。この場合でも、上述した補正回路３２０と同様にレベル方向の補間処理と座標方向との補間処理とを２段階で行うことによって、表示領域の全域にわたって適切にフリッカ等を低減することができる。
【０１２８】
＜５−２：携帯電話＞
次に、上述した処理回路を、携帯電話の表示部に適用した例について説明する。図２３は、この携帯電話の構成を示す斜視図である。図において、携帯電話２２００は、複数の操作ボタン２２０２のほか、受話口２２０４、送話口２２０６とともに、表示部として用いられる液晶パネル１００を備えるものである。この液晶パネル１００も、カラーフィルタにより１枚でＲＧＢ各色を表示するものであるが、単に白黒の階調表示を行うものとしても良い。白黒の階調表示を行う場合には、画像処理回路は、３原色分ではなく、単色分の構成で済む。
【０１２９】
＜６：その他＞
なお、図２２、図２３を参照して説明した電子機器の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた装置等などが挙げられる。そして、これらの各種電子機器に適用可能なのは言うまでもない。
【０１３０】
【発明の効果】
以上説明したように本発明によれば、レベル方向と座標方向の補間処理を２段階で行うので、少ないメモリ容量により、フリッカ等を大幅に低減することが可能となる。
【図面の簡単な説明】
【図１】本発明の第１実施形態に係るプロジェクタの構成を示す平面図である。
【図２】同プロジェクタの構成を示すブロック図である。
【図３】同プロジェクタにおける液晶パネルの構成を示す回路図である。
【図４】同液晶パネルの動作を説明するためのタイミングチャートである。
【図５】同プロジェクタにおける補正回路の構成を示すブロック図である。
【図６】同補正回路における補正量出力部の構成を示すブロック図である。
【図７】同実施形態における基準座標を説明するための図である。
【図８】同液晶パネルの表示特性と基準補正データに対応する３つの電圧レベルの関係を示す図である。
【図９】同プロジェクタにあって補正量出力部におけるＲＯＭの記憶内容を示す図である。
【図１０】同補正量出力部における基準補正データを生成するシステムの構成を示す図である。
【図１１】同補正量出力部における補正テーブルの記憶内容を示す図である。
【図１２】同補正回路の動作を示すフローチャートである。
【図１３】（ａ）は、液晶容量において直流成分が印加される状態を説明するための電圧波形図であり、（ｂ）は、実施形態における焼き付き防止を説明するための電圧波形図であり、（ｃ）は、対向電極の電位を調整することにより、正極側と負極側との電圧実効値が均衡した状態を示す電圧波形図である。
【図１４】本発明の第２実施形態に係るプロジェクタのうち、補正量出力部の構成を示すブロック図である。
【図１５】同実施形態における基準座標を説明するための図である。
【図１６】同補正量出力部におけるＲＯＭの記憶内容を示す図である。
【図１７】同補正量出力部においてＲに対応する補正テーブルの記憶内容を示す図である。
【図１８】本発明の第３実施形態に係るプロジェクタのうち、補正量出力部の要部構成を示すブロック図である。
【図１９】同構成におけるＷ−ＬＵＴの記憶内容を説明するための図である。
【図２０】同構成におけるＢ−ＬＵＴの記憶内容を説明するための図である。
【図２１】実施形態における補正回路の変形例を示すブロック図である。
【図２２】同補正回路を適用した電子機器の一例たるパーソナルコンピュータの構成を示す斜視図である。
【図２３】同補正回路を適用した電子機器の一例たる携帯電話機の構成を示す斜視図である。
【符号の説明】
１０……Ｘカウンタ
１１……Ｙカウンタ
１２……ＲＯＭ（メモリ）
１３……補間処理部
１４Ｒ、１４Ｇ、１４Ｂ……補正テーブル
１５Ｒ、１５Ｒ、１５Ｂ……演算部
３２２……補正量出力部
３２４……セレクタ
３２６……加算器
３２８……Ｄ／Ａ変換器
１７Ｒ、１７Ｇ、１７Ｂ……アドレス発生部
１００ａ……表示領域
３００……処理回路
３１０……ガンマ補正回路
３２０……補正回路
３２２２……Ｗ−ＬＵＴ（ルックアップテーブル）
３２４２……Ｂ−ＬＵＴ（ルックアップテーブル）
３２２４、３２４４……係数補間部
Ｍ１１〜Ｍ１４、Ｍ２１〜Ｍ２４……乗算器
ＤＲ、ＤＧ、ＤＢ……画像データ
Ｄｒｅｆｒ、Ｄｒｅｆｇ、Ｄｒｅｆｂ……基準補正データ
ＤＨｒ、ＤＨｇ、ＤＨｂ……補正データ（第１補正データ）
Ｃｍｐ−Ｒ、Ｃｍｐ−Ｇ、Ｃｍｐ−Ｂ……補正データ（第２補正データ）
ＤＣＬＫ……ドットクロック信号（第１クロック信号）
ＨＣＬＫ……水平クロック信号（第２クロック信号）
Ｄｘ……Ｘ座標データ
Ｄｙ……Ｙ座標データ
【図１】
2004062187.tif 000003
【図２】
2004062187.tif 000004
【図３】
2004062187.tif 000005
【図４】
2004062187.tif 000006
【図５】
2004062187.tif 000007
【図６】
2004062187.tif 000008
【図７】
2004062187.tif 000009
【図８】
2004062187.tif 000010
【図９】
2004062187.tif 000011
【図１０】
2004062187.tif 000012
【図１１】
2004062187.tif 000013
【図１２】
2004062187.tif 000014
【図１３】
2004062187.tif 000015
【図１４】
2004062187.tif 000016
【図１５】
2004062187.tif 000017
【図１６】
2004062187.tif 000018
【図１７】
2004062187.tif 000019
【図１８】
2004062187.tif 000020
【図１９】
2004062187.tif 000021
【図２０】
2004062187.tif 000022
【図２１】
2004062187.tif 000023
【図２２】
2004062187.tif 000024
【図２３】
2004062187.tif 000025
【手続補正書】
【提出日】平成15年8月12日(2003.8.12)
【手続補正２】
【補正対象書類名】明細書
【補正対象項目名】特許請求の範囲
【補正方法】変更
【補正の内容】
【特許請求の範囲】
【請求項１】
画素の透過率又は反射率を変化させる画像データを補正する画像データ補正回路であって、
前記画素に供給する前記画像データにおける最大電圧レベル及び最小電圧レベル、並びに画素の透過率又は反射率が急峻に変化させる変化点に対応する第１レベル及び第２レベルのうち、最小電圧レベルと第１レベルとの間及び最大電圧レベルと第２レベルとの間を複数の分割電圧レベルに分割し、当該複数の分割電圧レベルのうち、前記画素に供給される前記画像データの電圧レベルに近い分割電圧レベルに対応する第１の係数データを出力する係数出力部と、
前記係数出力部からの前記第１の係数データを補間して、前記画像データの電圧レベルに対応する第２の係数データを出力する係数補間部と、
前記係数補間部から出力された第２の係数データが乗算された補正データを出力するする乗算器と、
前記乗算器により前記第２の係数データが乗算された補正データ、または、前記第２の係数データが乗算されていない補正データを選択出力する選択出力部と、
を含んでなり、前記選択出力部は、前記画像データのレベルが前記第１レベル未満の場合、または、前記第２レベルを越える場合は、前記乗算された補正データを出力し、前記画像データのレベルが前記第１レベル以上かつ前記第２レベル以下の場合は、前記乗算されていない補正データを出力することを特徴とする画像データ補正回路。
【請求項２】
前記係数出力部は、
前記画像データが前記第１レベル未満である領域、または、前記第２レベルを越える領域において、少なくとも２以上のレベルに対応する係数を記憶するルックアップテーブルを含んでなること
を特徴とする請求項１に記載の画像データ補正回路。
【請求項３】
請求項１乃至２に記載の画像データ補正回路を備える
ことを特徴とする表示液晶表示装置。
【請求項４】
請求項３に記載の液晶表示装置を備える
ことを特徴とする電子機器。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
【課題を解決するための手段】
上記目的を達成するため、本件発明に係る画像データ補正回路は、画素の透過率又は反射率を変化させる画像データを補正する画像データ補正回路であって、前記画素に供給する前記画像データにおける最大電圧レベル及び最小電圧レベル、並びに画素の透過率又は反射率が急峻に変化させる変化点に対応する第１レベル及び第２レベルのうち、最小電圧レベルと第１レベルとの間及び最大電圧レベルと第２レベルとの間を複数の分割電圧レベルに分割し、当該複数の分割電圧レベルのうち、前記画素に供給される前記画像データの電圧レベルに近い分割電圧レベルに対応する第１の係数データを出力する係数出力部と、前記係数出力部からの前記第１の係数データを補間して、前記画像データの電圧レベルに対応する第２の係数データを出力する係数補間部と、前記係数補間部から出力された第２の係数データが乗算された補正データを出力する乗算器と、前記乗算器により前記第２の係数データが乗算された補正データ、または、前記第２の係数データが乗算されていない補正データを選択出力する選択出力部と、を含んでなり、前記選択出力部は、前記画像データのレベルが前記第１レベル未満の場合、または、前記第２レベルを越える場合は、前記乗算された補正データを出力し、前記画像データのレベルが前記第１レベル以上かつ前記第２レベル以下の場合は、前記乗算されていない補正データを出力することを特徴とする。この構成によれば、画像データのレベルが第１レベル未満である場合、または、第２レベルを超える場合でも、当該レベルに対応して適切に補正データが生成されるので、より正確に表示品位の低下を防止することが可能となる。


【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
さらに、本発明に係る液晶表示装置は、上記画像データ補正回路を備えることを特徴とする。


【手続補正１５】
【補正対象書類名】明細書
【補正対象項目名】０１３０
【補正方法】変更
【補正の内容】
【０１３０】
【発明の効果】
以上説明したように本発明によれば、画像データのレベルが第１レベル未満である場合、または、第２レベルを超える場合でも、当該レベルに対応して適切に補正データが生成されるので、より正確に表示品位の低下を防止することが可能となる。さらに、画像データが第１レベル未満である領域のレベルの各々に対応して、または、記第２レベルを越える領域のレベルの各々に対応して、係数をルックアップテーブルに記憶させる必要がないので、その分、ルックアップテーブルに必要な記憶容量を削減することが可能となる。